(57)【特許請求の範囲】
【請求項１】
第一プラグ及び第二プラグを有するダブルプラグ構造の錠前のロック解除方法であって、
初めに前記第一プラグのロックを解除し、前記第一プラグのロックを解除するまでは、前記第一プラグは前記第二プラグのロックの解除を制限し、かつ、剛性部品によって前記第一プラグと前記第二プラグとが接続されて、前記第二プラグの回転動作と前記第一プラグの回転動作とが連動していることにより、前記第二プラグは前記第一プラグの回転を制限しており、
前記第一プラグのロックを解除した後、プリセットされた位置偏差を利用して、前記第一プラグは、第一位置から第二位置に移動できるが、回転できない状態であり、
前記第一プラグが前記第二位置に配置されると、前記第二プラグに対する制限を解除するが、前記第二プラグは依然として前記第一プラグの回転を制限しており、
前記第二プラグのロックを解除すると、前記第一プラグと前記第二プラグは同時に回転できるようになり、前記錠前は開錠されることを特徴とする、ダブルプラグ構造の錠前のロック解除方法。
【請求項２】
前記第一プラグが第一位置から前記第二位置に移動すると、前記第一プラグは、前記第二プラグにある解除パーツの挿入口を一部閉鎖状態または完全閉鎖状態にさせることを特徴とする、請求項１に記載のダブルプラグ構造の錠前のロック解除方法。
【請求項３】
同一の解除パーツにある違う解除位置により、前記第一プラグと前記第二プラグのロックを解除することを特徴とする、請求項１或いは２に記載のダブルプラグ構造の錠前のロック解除方法。
【請求項４】
正しい解除パーツを使う時、前記第一プラグが前記第二位置に配置されると、前記第一プラグは前記第二プラグのロックが解除されることに対する制限を解除し、前記解除パーツは前記第二プラグのロックも解除することを特徴とする、請求項３に記載のダブルプラグ構造の錠前のロック解除方法。
【請求項５】
前記第一プラグのロックが解除されても、回転できないことは、前記第一プラグが自身の回転を制限することも含み、前記第一プラグが前記第二位置に移動すると、前記第一プラグは自身の回転に対する制限を解除することを特徴とする、請求項１に記載のダブルプラグ構造の錠前のロック解除方法。
【請求項６】
前記第一プラグは、前記第二プラグのロックに関連付けられた動き部品を利用して、前記第二プラグのロック解除を制限しており、
前記第一プラグが移動する前は、正解の解除パーツだとしても、前記第二プラグのロックを解除できず、前記第一プラグが前記第二位置に移動すると、前記第一プラグの動き部品が前記第二プラグに対するロックを解除することにより、正解の解除パーツで前記第二プラグのロックが解除できるようになることを特徴とする、請求項１に記載のダブルプラグ構造の錠前のロック解除方法。
【請求項７】
前記第二プラグの回転が前記第一プラグの回転動作と連動しており、前記第二プラグが回転できない場合に、前記第一プラグも単独で回転できないことにより、前記第二プラグが前記第一プラグの回転を制限していることを特徴とする、請求項１に記載のダブルプラグ構造の錠前のロック解除方法。
【請求項８】
前記第一プラグの動き部品は前記第二プラグのロックに関連付けられ、
前記第一プラグが動くまでは、前記第一プラグは依然として前記第二プラグに作用しないが、
前記第一プラグが前記第二位置に移動すると、前記第二プラグは前記第一プラグの動き部品の影響を受けて、前記第二プラグにある解除パーツの挿入口が一部閉鎖状態または完全閉鎖状態になることを特徴とする、請求項６に記載のダブルプラグ構造の錠前のロック解除方法。
【請求項９】
シリンダー及び鍵を有する錠前であって、前記シリンダーは、外筒、第一プラグ及び第二プラグを含み、前記第一プラグと前記第二プラグは回転可能に前記外筒に取り付けられており、
前記第一プラグと前記外筒との間に、前記鍵で解除できる第一施錠機構が据え付けられ、前記第二プラグと前記外筒との間に、前記鍵で解除できる第二施錠機構が据え付けられて、前記外筒に対する前記第一プラグと前記第二プラグの回転が制限され、
前記第一プラグと前記第二プラグとは制御可能に互いに接続されており、前記第一プラグには前記第二施錠機構を制御する制御装置が取り付けられ、前記第一プラグにはプリセットされた位置偏差があり、前記第一プラグが移動するまでは、前記第二施錠機構を解除することができず、前記鍵を鍵穴に差し入れると、まず前記鍵は第一施錠機構を解除し、そして、前記鍵が前記第一プラグを、前記プリセットされた位置偏差に従って、第一位置から第二位置に移動させ、前記第一プラグが前記第二位置に移動すると、前記制御装置が前記第二施錠機構に対する制御を解除することにより、前記鍵は前記第二施錠機構を解除することができるようになり、前記第一プラグ及び前記第二プラグは前記鍵に連動して回転できるようになり、前記錠前は開錠されることを特徴とするダブルプラグ構造の錠前。
【請求項１０】
前記第一プラグ及び前記第二プラグは前後に位置し、前記第一プラグは後プラグであり、前記第二プラグは前プラグであり、
前記第一施錠機構は後施錠機構であり、前記第二施錠機構は前施錠機構であり、
前記前プラグ及び前記後プラグは回転可能に前記外筒に取り付けられ、
前記外筒に対する前記前プラグ及び前記後プラグの回転を制限するために、前記前プラグと前記外筒との間に、前記鍵で解除できる前記前施錠機構が取り付けられ、前記後プラグと前記外筒との間に、前記鍵で解除できる前記後施錠機構が取り付けられ、
前記前プラグ及び前記後プラグは制御可能に互いに接続されており、
前記後プラグには前記前施錠機構を制御する制御装置がさらに取り付けられ、
前記後プラグが第二位置に移動するまでは、前記前施錠機構を解除することができず、
前記鍵を前記鍵穴に差し入れると、まず前記鍵は前記後施錠機構を解除し、そして、前記鍵が前記後プラグを軸方向に沿い、後の第二位置に移動させ、前記制御装置が前記前施錠機構に対する制御を解除することにより、前記鍵は前記前施錠機構を解除し、前記前プラグ及び前記後プラグは前記鍵に連動して同時に回転できるようになり、前記錠前は開錠されることを特徴とする、請求項９に記載のダブルプラグ構造の錠前。
【請求項１１】
前記第一プラグ及び前記第二プラグは半円筒形状であり、前記第一プラグは下プラグであり、前記第二プラグは上プラグであり、前記第一施錠機構は下施錠機構であり、前記第二施錠機構は上施錠機構であり、
前記鍵には上キーウェイ及び下キーウェイが設置されており、前記上キーウェイは前記上施錠機構を解除し、前記下キーウェイは前記下施錠機構を解除し、
前記鍵を前記鍵穴に差し込むと、前記下キーウェイはまず、前記下施錠機構を解除して、そして、前記鍵が前記下キーウェイを軸方向に沿い、後ろの第二位置に移動させ、この時、前記制御装置が前記上施錠機構に対する制御を解除することにより、前記上キーウェイが前記上施錠機構を解除できるようになり、前記上プラグ及び前記下プラグは前記鍵に連動して同時に回転できるようになり、前記錠前は開錠されることを特徴とする、請求項９に記載のダブルプラグ構造の錠前。
【請求項１２】
前記第一プラグは内側に設置され、前記第二プラグは外側に設置され、前記第一プラグは内プラグであり、前記第二プラグは外プラグであり、前記第一施錠機構は内施錠機構であり、前記第二施錠機構は外施錠機構であり、
前記外プラグは回転可能に前記外筒に設置され、
前記外筒に対する前記外プラグの回転を制限するために、前記外プラグと前記外筒との間に、前記鍵で解除できる前記外施錠機構が取り付けられ、
前記内プラグは回転可能に前記外プラグに設置され、
前記外プラグに対する前記内プラグの回転を制限するために、前記内プラグと前記外プラグとの間に、前記鍵で解除できる前記内施錠機構が取り付けられ、
前記内プラグと前記外プラグは制御可能に互いに接続されており、
前記内プラグには外施錠構造を制御する制御構造が取り付けられ、
前記内プラグが第二位置に移動するまでは、前記外施錠構造を解除することができず、
前記鍵を前記鍵穴に差し入れると、まず前記鍵は前記内施錠機構を解除し、そして、前記鍵が前記内プラグを回転させ、
前記内プラグが第二位置に配置されると、前記制御構造が前記外施錠構造に対する制御を解除することにより、前記鍵は前記外施錠構造を解除し、
前記内プラグ及び前記外プラグは前記鍵に連動して回転できるようになり、前記錠前は開錠されることを特徴とする、請求項９に記載のダブルプラグ構造の錠前。
【請求項１３】
前記鍵穴の前部に設置される開閉扉機構をさらに含み、前記開閉扉機構は前記第一プラグと連動して、
前記第一プラグが前記プリセットされた位置偏差に沿い、前記第一位置から前記第二位置に移動すると、前記開閉扉機構は前記鍵穴を閉めることを特徴とする、請求項９〜１２のいずれか１項に記載のダブルプラグ構造の錠前。
【請求項１４】
前記開閉扉機構は前記鍵穴の前部に設置されている上扉と下扉を含み、
前記第一プラグは、前記鍵穴の軸方向に沿い取り付けられる上扉押し棒と下扉押し棒により、前記上扉押し棒及び前記下扉押し棒の斜面で前記上扉及び前記下扉に結合され、
前記第一プラグが前記プリセットされた位置偏差に沿い、前記第一位置から前記第二位置に移動すると、前記上扉と下扉は前記鍵穴を閉めるまで、閉める方向に移動することを特徴とする、請求項１３に記載のダブルプラグ構造の錠前。
【請求項１５】
遅延タイマーをさらに含み、前記遅延タイマーは前記外筒と前記制御装置との間に設置され、
前記第一プラグが前記プリセットされた位置偏差に沿い、前記第二位置に配置されると、前記制御装置が前記遅延タイマーを押して、前記遅延タイマーのエネルギーを蓄え、
前記第一プラグと前記第二プラグが同時に回転する時、前記遅延タイマーはエネルギーを放出できず、前記制御装置を戻さず、
前記第一プラグと前記第二プラグが回転しない場合に、前記遅延タイマーは設定された時間内にエネルギーを放出して前記制御装置を、前記第二施錠機構を制御する位置に戻すことを特徴とする、請求項９〜１２のいずれか１項に記載のダブルプラグ構造の錠前。
【請求項１６】
前記遅延タイマーは水圧式遅延タイマー、機械式遅延タイマー、時計付き遅延タイマー、または減衰タイマーを含み、
前記水圧式遅延タイマーは本体、ピストン、内管、スプリング、軸心を含み、
前記内管が前記本体の中に固定され、
前記内管と前記本体との間に油室が設置され、
前記ピストンは前記スプリングにより前記内管の中に摺動可能に取り付けられ、
前記ピストンと前記内管との間に前記内管の内部と前記油室を繋ぐ空気穴が設置され、
前記軸心の一端は前記ピストンに固定され、もう一端は前記制御装置と連接し、
油が速やかに前記内管の内部から前記油室に流動できるように、前記内管には単方向バルブが設置され、
前記機械式遅延タイマーは突出ピン、変転ブロック、固定座と圧縮ばねを含み、
前記突出ピン、前記変転ブロック、及び前記圧縮ばねは前記固定座の内部に摺動可能に設置され、
前記突出ピンのボスは前記固定座のシュートに摺動可能に据え付けられ、
前記圧縮ばねの末端は、前記固定座の末端の内壁に当接し、前記圧縮ばねの前端は、前記変転ブロックの末端にある孔の末端に当接し、
前記変転ブロックの前端は前記孔の末端に可動に取り付けられ、
前記変転ブロックのボスは前記シュートに結合され、
前記突出ピンの前端が前記制御装置と接続され、
前記突出ピンがプッシュされる時、前記変転ブロックを連動して後ろに移動して、それとともに、前記圧縮ばねを圧縮することにより、前記圧縮ばねがエネルギーを蓄え、
前記変転ブロックが前記シュートから脱出する時、前記シュートの斜面は前記突出ピンの斜面及び前記固定座の斜面と結合することにより、ある角度の回転ができ、
前記変転ブロックの回転スピードは前記変転ブロックの斜面、前記突出ピンの斜面及び前記固定座の斜面の傾角と摩擦係数に制御され、
前記変転ブロックがディレーして動き、
前記時計付き遅延タイマーはラック、減速機構、脱進機、振動機構、エネルギー貯蔵機構と単方向転送機構を含み、
前記ラックの一端は前記制御装置と連接して、前記ラックが前記減速機構に結合され、
前記減速機構は前記脱進機と連動し、
前記エネルギー貯蔵機構は前記脱進機と連動し、
前記単方向転送機構は前記脱進機と前記減速機構の間に取り付けられ、
前記脱進機は前記振動機構に結合され、
前記減衰遅延タイマーはラック、減衰機構、圧縮ばねと減衰器を含み、
前記ラックの一端は前記制御装置と連接し、前記圧縮ばねは、前記ラックのもう一端に当接し、
前記ラックの歯の仕組みは前記減衰機構に結合され、
前記減衰器は減衰バルブと減衰ケースを含み、前記減衰バルブは前記減衰ケースに取り付けられて、前記減衰機構と同軸で、連接していることを特徴とする、請求項１５に記載のダブルプラグ構造の錠前。
【請求項１７】
前記第二施錠機構はピン機構であり、
前記ピン機構がラジアル方向に沿い、前記第二プラグと前記外筒の間に設置されて前記第二プラグを制限し、
前記第二プラグは軸方向に設置された押し棒シュートを含み、前記押し棒シュートは、前記ピン機構にある孔に接続され、
前記制御装置はピン押し棒を含み、前記ピン押し棒に斜面シュートが設置され、前記ピン機構のピンに前記斜面シュートに結合される凸部が設置され、
前記ピン押し棒が水平方向に動く時、前記斜面シュート及び前記凸部の結合により、前記ピンは上下に動き、前記ピンを前記鍵が解除できない位置と前記鍵が解除できる位置とに切り替え、
前記ピン押し棒の一端は前記第二プラグと連動することを特徴とする、請求項１０或いは１１、或いは１２に記載のダブルプラグ構造の錠前。
【請求項１８】
前記ピン押し棒の一端に溝が設置され、前記第一プラグにはブロック固定溝が設置され、一つのブロックは前記溝と前記ブロック固定溝を連結して、前記ピン押し棒の一端と前記第一プラグと連動させ、
前記第一プラグが位置偏差方向に沿い、移動すると、前記第一プラグは前記ブロックを通して、前記ピン押し棒を軸方向に沿い移動させることを特徴とする、請求項１７に記載のダブルプラグ構造の錠前。
【請求項１９】
前記第二プラグには凸部がさらに設置され、前記凸部は前記ブロック固定溝と前記ピン押し棒の前記溝との間にあり、
前記凸部にはブロックシュートが設置され、前記ブロックは前記ブロックシュートを貫き、前記ピン押し棒の溝と前記ブロック固定溝の間に嵌められ、
前記第一プラグは前記ブロックを通して、前記ピン押し棒を軸方向に沿い移動させる時、前記ブロックが軸方向に沿い、前記ブロックシュートの中に移動することを特徴とする、請求項１８に記載のダブルプラグ構造の錠前。
【請求項２０】
前記ブロックシュートに斜面シュートが設置され、前記ブロックが前記斜面シュートに結合され、前記ブロックを前記ブロックシュートの中に、軸方向に沿い移動させ、さらにラジアル方向に沿い移動させ、
前記第一プラグが位置偏差方向に沿い、第二位置に移動すると、前記ブロックは前記溝から脱出し、
前記ブロックの底にはばねが設置されており、前記ブロックの両側には翼が設置され、前記斜面シュートは下向きに設置され、前記ブロックは前記ばねにより、前記ブロック固定溝に設置され、
前記翼は前記斜面シュートに当接することを特徴とする、請求項１９に記載のダブルプラグ構造の錠前。
【請求項２１】
前記上プラグと前記外筒の間にある前記上施錠機構は羽機構であり、前記羽機構は、
ラジアル方向に沿って前記上プラグと前記外筒の間に設置され、前記上プラグの回転を制限するストッパーと、
前記上プラグの中に設置され、前記ストッパーの凸部が係合される溝を有する羽を備え、
前記上プラグには軸方向に沿い、前記ストッパーに接続される押し棒シュートがさらに設置されており、
前記制御装置はストッパー押し棒を含み、前記ストッパー押し棒は前記押し棒シュートに取り付けられて、前記ストッパーを制御し、前記ストッパー押し棒の末端は前記下プラグと連動することを特徴とする、請求項１１に記載のダブルプラグ構造の錠前。
【請求項２２】
前記ストッパー押し棒には前記ストッパーに対して軸方向に沿い移動可能にシュートが設置されており、
前記シュートには斜面が設置され、前記ストッパーには凸部が設置され、
前記ストッパー押し棒が後の第二位置に配置されるまでは、前記ストッパーをラジアル方向に沿い落下させないように、前記斜面は上向きに設置されて、前記凸部に結合され、
前記ストッパー押し棒の末端には穴が設置され、前記下プラグにはブロック固定溝が設置され、ブロックは前記穴と前記ブロック固定溝との間に接続され、前記ストッパー押し棒の末端と前記下プラグと連動させ、
前記下プラグが軸方向に沿い移動する時、前記下プラグは前記ブロックにより、前記ストッパー押し棒を連動して軸方向に沿い後に移動させることを特徴とする、請求項２１に記載のダブルプラグ構造の錠前。
【請求項２３】
前記押し棒シュートの底に軸方向に沿いブロックシュートがさらに設置され、
前記ブロックシュートが前記ブロックの前記ブロック固定溝と前記穴の間に設置され、
前記ブロックは前記ブロックシュートを貫き、前記穴と前記ブロック固定溝の間に嵌められ、
前記下プラグが前記ブロックにより前記ストッパー押し棒を軸方向に沿い移動させる時、前記ブロックは軸方向に沿い、前記ブロックシュートの中に移動することを特徴とする、請求項２２に記載のダブルプラグ構造の錠前。
【請求項２４】
前記ブロックシュートには斜面シュートが設置され、前記ブロックは前記斜面シュートに結合され、前記ブロックが前記ブロックシュートの中に軸方向に沿い移動させるとともに、ラジアル方向に沿い移動させ、
前記下プラグは軸方向に沿い第二位置に移動する時、前記ブロックは前記ストッパー押し棒の穴から脱出し、
同時に、前記ブロックの底にばねが設置され、前記ブロックの両側に翼が設置され、前記斜面シュートが下向きに設置され、前記ブロックは前記ばねにより前記ブロック固定溝に取り付けられ、
前記翼は前記斜面シュートに当接することを特徴とする、請求項２３に記載のダブルプラグ構造の錠前。
【請求項２５】
前記外プラグと前記外筒の間の前記外施錠機構はピン機構であり、
前記ピン機構は軸方向に沿い、前記外プラグと前記外筒の間に取り付けられて、前記外プラグの回転を制限し、
前記外プラグに軸方向に沿い前記ピン機構のピン穴に接続される押し棒シュートが設置され、
前記制御装置はピン押し棒とラッチボルトを含み、前記ピン押し棒は前記押し棒シュートに取り付けられて、前記ピン機構のピンを制御し、
前記ピン押し棒の末端は前記ラッチボルトと連動し、
前記ラッチボルトは前記外プラグの後部に据え付けられることを特徴とする、請求項１２に記載のダブルプラグ構造の錠前。
【請求項２６】
前記ラッチボルトの前端には斜面が設置され、
前記内プラグに軸方向に沿い、凸部が設置され、
前記斜面は前記凸部に結合されることにより、前記内プラグを回転させる時、前記ラッチボルトがそれに応じて軸方向に沿い移動し、前記ピン押し棒も軸方向に沿い移動することを特徴とする、請求項２５に記載のダブルプラグ構造の錠前。
【請求項２７】
前記第一プラグ及び前記第二プラグは前後に位置し、前記第一プラグは後プラグであり、前記第二プラグは前プラグであり、前記第一施錠機構は後施錠機構であり、前記第二施錠機構は前施錠機構であり、
前記前施錠機構は羽機構であり、前記羽機構はストッパーと前記ストッパーの底に結合される少なくとも一つの羽を含み、
前記羽には正解溝と少なくとも一つのわな溝が設置され、
前記後プラグには前記ストッパーを制御する制御装置がさらに取り付けられ、
前記後プラグが第二位置に配置されるまでは、前記ストッパーが落下できず、
前記鍵を前記鍵穴に差し込むと、前記鍵はまず、前記後施錠機構を解除して、そして、前記鍵が前記後プラグを押して、軸方向に沿い後の第二位置に移動させることにより、前記ストッパーを落下させ、
前記ストッパーが前記正解溝に落ちると、前記前施錠機構が解除され、前記前プラグ及び前記後プラグは前記鍵により同時に回転できるようになり、開錠し、
前記ストッパーが前記わな溝に落ちると、前記前施錠機構が解除されず、羽は移動できないことを特徴とする、請求項９に記載のダブルプラグ構造の錠前。
【請求項２８】
前記制御装置はストッパー押し棒と、前記ストッパー押し棒と前記ストッパーの間にある組合せ構造を含み、
前記前プラグに軸方向に沿い押し棒溝が設置され、
前記押し棒溝は前記前プラグのストッパー溝に接続され、前記ストッパー溝は前記ストッパーを組み立てるために使用され、
前記ストッパー押し棒は前記押し棒溝に摺動可能に取り付けられて、前記ストッパーに結合され、
前記ストッパー押し棒の末端は前記後プラグと連動し、
前記後施錠機構が解除されない時、前記ストッパー押し棒は移動できず、
前記ストッパー押し棒は第二位置に配置されるまでは、前記ストッパーは下がらないことを特徴とする、請求項２７に記載のダブルプラグ構造の錠前。
【請求項２９】
前記組合せ構造は、
前記ストッパー押し棒に設置されるシュートであり、前記ストッパーが前記シュートに摺動可能に取り付けられて、前記ストッパー押し棒と前記ストッパーは交差して移動するシュート、
前記ストッパーに設置される凸ボス、
前記シュートに設置される斜面、及び
前記斜面に水平方向に沿い設置される金属片を含み、
前記斜面の底に凸ボスが設置され、
前記金属片の一端は前記斜面の底にある凸ボスに固定され、前記金属片のもう一端は自由に前記斜面の頂部に置かれることを特徴とする、請求項２８に記載のダブルプラグ構造の錠前。
【請求項３０】
前記ストッパーの凸ボスの突出寸法及び前記斜面の凸ボスの幅寸法の合計は前記斜面の幅寸法より小さく、
前記金属片の幅寸法は前記斜面の幅寸法と同じであることを特徴とする、請求項２９に記載のダブルプラグ構造の錠前。
【請求項３１】
前記ストッパー押し棒が後の第二位置に配置されるまでは、前記ストッパーの凸ボスが前記金属片に制限されることにより、前記ストッパーは下がらず、
前記ストッパー押し棒が後の第二位置に配置されると、前記ストッパーの凸ボスが前記金属片の制限から解放されることにより、前記ストッパーは下がり、
前記ストッパー押し棒が前に移動する時、前記ストッパーの凸ボスは前記斜面に沿い上に移動し、
前記ストッパー押し棒が前の第二位置に配置されると、前記ストッパーの凸ボスは前記金属片の自由端を外して、改めて前記金属片の頂部に戻ることを特徴とする、請求項３０に記載のダブルプラグ構造の錠前。
【発明の詳細な説明】
【技術分野】
【０００１】
本発明はある一種のダブルプラグの錠前、特に、ダブルプラグ構造の錠前のロック解除方法及びダブルプラグ構造の錠前に関する。
【背景技術】
【０００２】
現有の錠前には、ピンタンブラー錠が一番広く使用されているが、各種類のピンタンブラー錠は使用する時に、様々な不足があり、プロの器具で開錠されやすい。開錠方法はとても簡単で、開錠専用のテンションで、錠本体とプラグの中にあるピンをプラグと錠本体との境界に押してから、プラグを回転して、開錠する。或いは、スズ紙に包まれる鍵を鍵穴に差し入れて揺れると、スズ紙にピンの打痕を残すことにより、ピンを全てプラグと錠本体との境界に落ちて、プラグを回転して開錠する。又は、歯のついた器具で突き当ったり、プラグにあるピンをこっちあっちにかき回したりして、開錠する。ひいては、ある違法者は器具で、無理やりプラグを回転させ、開錠する。技術または暴力で開錠する方法がたくさんあることが分かる。従来のピンタンブラー錠には様々な欠陥があるため、安全性を大幅に低下して、盗犯者にとっては便利で、盗難事件が頻繁的に起こる原因になる。安全性を高めるために、現有技術としては、二つのプラグがある錠前を使用する。例えば、特許ＣＮ２０３９２５００６Ｕ、ＣＮ２０３６０３６２７Ｕ  とＣＮ２０３７６９４６６Ｕに公表したものである。しかし、現有のこれらの両プラグ構造には二つのプラグが並んで設置され、殆ど二つの鍵を使用して開錠する。他と同様で、技術または暴力で開錠されやすい問題がある。
【先行技術文献】
【特許文献】
【０００３】
【特許文献１】ＣＮ２０３９２５００６Ｕ
【特許文献２】ＣＮ２０３６０３６２７Ｕ
【特許文献３】ＣＮ２０３７６９４６６Ｕ
【発明の概要】
【課題を解決するための手段】
【０００４】
現有技術に存在する技術問題を解決する為、本発明はある一種の錠前の両プラグの相互制御、ロック解除方法及びプラグが二つある錠前を提供する。
本発明には上述の技術問題を解決する為、採用する技術方案が下記のようになる。
ある一種の錠前の両プラグの相互制御、ロック解除方法は下記のものを含む。
【０００５】
初めに第一プラグを解除する。第一プラグのロックが解除されるまでは、第一プラグは第二プラグのロックの解除を制限し、かつ、剛性部品によって第一プラグと第二プラグとが接続されて、第二プラグの回転動作と第一プラグの回転動作とが連動していることにより、第二プラグは第一プラグの回転を制限する。
【０００６】
第一プラグのロックが解除された後、第一プラグはプリセットされた位置偏差により、第一位置から第二位置に移行できるが、回転できない。
【０００７】
第一プラグが第二位置に配置されると、第二プラグに対する制限を解除するが、第二プラグは依然として第一プラグの回転を制限する。
【０００８】
第二プラグのロックを開錠してから、第一プラグと第二プラグが同時に回転できるようになり、錠前は開錠される。
【０００９】
本発明の優先方案の一つとして、さらに、第一プラグが移動する時、第一プラグは第一位置から第二位置に移動すると、第一プラグは、第二プラグにある解除パーツの挿入口を一部閉鎖状態または完全閉鎖状態にさせる。
【００１０】
本発明の優先方案の一つとして、同一の解除パーツにある違う解除位置により、前記第一プラグと第二プラグのロックを解除する。
【００１１】
本発明の優先方案の一つとして、正解の解除パーツを使う場合、第一プラグは第二位置に配置されると、第二プラグに対する制限を解除した後、それとともに、解除パーツが第二プラグのロックを解除する。
【００１２】
本発明の優先方案の一つとして、第一プラグはその本体を制限しているため、前記第一プラグのロックが解除されても回転できない。第一プラグは第二位置に配置されると、自身の回転に対する制限を解除する。
【００１３】
本発明の優先方案の一つとして、第一プラグは、第二プラグのロックに関連付けられた動き部品を利用して、第二プラグのロック解除を制限しており、第一プラグが移動する前は、正解の解除パーツだとしても、第二プラグのロックを解除できない。第一プラグが第二位置に移動すると、第一プラグの動き部品は第二プラグのロックを解除することにより、正解の解除パーツで第二プラグのロックが解除できるようになる。
【００１４】
本発明の優先方案の一つとして、第二プラグの回転は第一プラグの回転動作と連動しており、第二プラグが回転できない場合に、第一プラグも単独で回転できないことにより、第二プラグが第一プラグの回転を制限する。
【００１５】
本発明の優先方案の一つとして、第一プラグの動き部品は第二プラグのロックに関連付けられ、第一プラグが動くまでは、第一プラグは依然として前記第二プラグに作用しないが、第一プラグが第二位置に移動すると、第二プラグは第一プラグの動き部品の影響を受けて、第二プラグにある解除パーツの挿入口が一部閉鎖状態または完全閉鎖状態になる。
【００１６】
本発明は二つのプラグが相互制御する錠前を提供する。前記錠前はシリンダー及び鍵を有する。前記シリンダーは、外筒、第一プラグ及び第二プラグを含み、第一プラグと第二プラグを回転可能にに外筒に取り付けられる。第一プラグと外筒との間に、鍵で解除できる第一施錠機構が据え付けられ、第二プラグと外筒との間に、鍵で解除できる第二施錠機構が据え付けられ、外筒に対する第一プラグと第二プラグの回転が制限される。第一プラグと第二プラグとは制御可能に互いに接続されている。第一プラグには第二施錠機構を制御する制御装置が取り付けられる。第一プラグにはプリセットされた位置偏差があり、第一プラグが移動するまでは、第二施錠機構を解除することができない。鍵を鍵穴に差し入れると、まず鍵は第一施錠機構を解除する。そして、鍵が第一プラグを、プリセットされた位置偏差に従って、第一位置から第二位置に移動させる。第一プラグが第二位置に移動すると、前記制御装置が第二施錠機構に対する制御を解除することにより、鍵は第二施錠機構を解除する。第一プラグ及び第二プラグは鍵に連動して回転できるようになり、前記錠前は開錠される。
【００１７】
本発明の優先方案の一つとして、前記第一プラグ及び前記第二プラグは前後に位置する。前記第一プラグは後プラグであり、第二プラグは前プラグである。前記第一施錠機構は後施錠機構であり、前記第二施錠機構は前施錠機構である。前プラグ及び後プラグは回転可能に外筒に設置して、外筒に対する前プラグ及び後プラグの回転を制限するために、前プラグと外筒との間に、鍵で解除できる前施錠機構が取り付けられ、後プラグと外筒との間に、鍵で解除できる後施錠機構が取り付けられる。前プラグ及び後プラグはに互いに接続されている。後プラグには前施錠機構を制御する制御装置がさらに取り付けられる。後プラグが第二位置に移動するまでは、前施錠機構を解除することができない。鍵を鍵穴に差し入れると、まず鍵は後施錠機構を解除する。そして、鍵で後プラグをプリセットされた位置偏差に沿い、移動する。後プラグが第二位置に配置されると、前記制御装置が前施錠機構に対する制御を解除することにより、鍵は前施錠機構を解除する。前プラグ及び後プラグは鍵に連動して回転できるようになり、前記錠前は開錠される。
【００１８】
本発明の優先方案の一つとして、前記第一プラグ及び前記第二プラグは半円筒形状である。前記第一プラグは下プラグであり、前記第二プラグは上プラグである。第一施錠機構は下施錠機構であり、第二施錠機構は上施錠機構である。鍵には上キーウェイ及び下キーウェイが設置されており、前記上キーウェイは前記上施錠機構を解除し、前記下キーウェイは前記下施錠機構を解除する。鍵を鍵穴に差し込むと、鍵の下キーウェイはまず、下施錠機構を解除して、そして、鍵で下プラグをプリセットされた位置偏差に沿い、後ろに移動させる。第二位置に配置されると、前記制御装置が錠施錠機構に対する制御を解除することにより、鍵の上キーウェイが内施錠機構を解除できるようになる。上プラグ及び下プラグは鍵に連動して同時に回転できるようになり、前記錠前は開錠される。
【００１９】
本発明の優先方案の一つとして、前記第一プラグは内側に設置され、前記第二プラグは外側に設置される。前記第一プラグは内プラグであり、前記第二プラグは外プラグである。前記第一施錠機構は内施錠機構であり、前記第二施錠機構は外施錠機構である。前記外プラグは回転可能に前記外筒に設置され、外筒に対する前記外プラグの回転を制限するために、外プラグと外筒との間に、鍵で解除できる外施錠機構が取り付けられる。内プラグは回転可能に前記外プラグに設置され、外プラグでの回転を制限するために、内プラグと外プラグとの間に、鍵で解除できる内施錠機構が取り付けられる。内プラグと外プラグは制御可能に互いに接続されている。内プラグには外施錠機構を制御する制御装置が取り付けられる。内プラグが第二位置に移動するまでは、外施錠機構を解除することができない。鍵を鍵穴に差し入れると、まず鍵は内施錠機構を解除する。そして、鍵が内プラグを回転させる。内プラグが第二位置に配置されると、前記制御装置が外施錠機構に対する制御を解除することにより、鍵は外施錠機構を解除する。内プラグ及び外プラグは鍵に連動して回転できるようになり、前記錠前は開錠される。
【００２０】
本発明の優先方案の一つとして、さらに、鍵穴の前部に設置される開閉扉機構をさらに含む。前記当開閉扉は第一プラグと連動して、第一プラグがプリセットされた位置偏差に沿い、第一位置から第二位置に移動すると、前記開閉扉機構は鍵穴を閉める。
【００２１】
本発明の優先方案の一つとして、前記開閉扉機構は鍵穴の前部に設置されている上扉と下扉を含む。前記第一プラグは連動部品で、前記上扉と下扉と連動して、第一プラグがプリセットされた位置偏差に沿い、第一位置から第二位置に移動すると、前記上扉と下扉は鍵穴を閉めるまで、閉める方向に移動する。
【００２２】
本発明の優先方案の一つとして、前記連動部品は上扉押し棒と下扉押し棒を含む。前記上扉押し棒は上扉と嵌め合い斜面を形成し、前記下扉押し棒は下扉と嵌め合い斜面を形成する。
【００２３】
本発明の優先方案の一つとして、さらに、遅延タイマーを含む。前記遅延タイマーは外筒と前記制御装置との間に設置され、第一プラグがプリセットされた位置偏差に沿い、第二位置に配置されると、前記制御装置が遅延タイマーを押して、遅延タイマーのエネルギーを蓄える。第一プラグと第二プラグが同時に回転する時、遅延タイマーはエネルギーを放出できず、制御装置を戻さない。第一プラグと第二プラグが回転しない場合に、遅延タイマーは設定された時間内にエネルギーを放出して制御装置を、第二施錠機構を制御する位置に戻す。
【００２４】
本発明の優先方案の一つとして、前記遅延タイマーは水圧式遅延タイマー、機械式遅延タイマー、時計付き遅延タイマー、または減衰タイマーを含む。
【００２５】
前記水圧式遅延タイマーは本体、ピストン、内管、スプリング、軸心を含む。前記内管が本体の中に固定される一方、内管と本体との間に油室が設置される。前記ピストンはスプリングにより内管の中に摺動可能に取り付けられる。ピストンと内管との間に内管内部と前記油室を繋ぐ空気穴が設置される。前記軸心の一端はピストンに固定され、もう一端は前記制御装置と連接する。油が速やかに内管の内部から油室に流動できるように、前記内管には単方向バルブが設置される。
【００２６】
前記機械式遅延タイマーは突出ピン、変転ブロック、固定座と圧縮ばねを含む。前記突出ピン、変転ブロック、固定座と圧縮ばねは固定座の内部に摺動可能に設置される。突出ピンのボスは固定座のシュートに摺動可能に据え付けられる。圧縮ばねの末端は、固定座末端の内壁に当接し、圧縮ばねの前端は、変転ブロックの末端にある孔の末端に当接する。変転ブロックの前端は突出ピンの末端にある孔の末端に可動に取り付けられ、変転ブロックのボスは固定座のシュートに結合され、突出ピンの前端が前記制御装置と接続される。突出ピンがプッシュされる時、変転ブロックを連動して後ろに移動して、それとともに、圧縮ばねを圧縮することにより、圧縮ばねがエネルギーを蓄える。変転ブロックが固定座のシュートから脱出する時、シュートの斜面は突出ピンの斜面及び固定座の斜面と結合することにより、ある角度の回転ができる。変転ブロックの回転スピードは変転ブロックの斜面、突出ピンの斜面及び固定座の斜面の傾角と摩擦係数に制御されるため、変転ブロックがディレーして動く。
【００２７】
前記時計付き遅延タイマーはラック、減速機構、脱進機、振動機構、エネルギー貯蔵機構と単方向転送機構を含む。前記ラックの一端は前記制御装置と連接して、前記ラックが減速機構に結合される。前記減速機構は前記脱進機と連動する。前記エネルギー貯蔵機構は前記脱進機と連動する。前記単方向転送機構は脱進機と減速機構の間に取り付けられる。脱進機は振動機構に結合される。
【００２８】
前記空気式遅延タイマーはラック、減衰機構、圧縮ばねと減衰器を含む。前記ラックの一端は前記制御装置と連接する。前記圧縮ばねを引いて、ラックのもう一端に当接する。ラックの歯の仕組みは減衰機構に結合される。前記減衰器は減衰バルブと減衰ケースを含む。前記減衰バルブは減衰ケースに取り付けられて、減衰機構と同軸で、連接している。
【００２９】
本発明の優先方案の一つとして、前記第二施錠機構はピン機構であり、前記ピン機構がラジアル方向に沿い、第二プラグと外筒の間に設置されて第二プラグを制限する。前記第二プラグは軸方向に設置された押し棒シュートを含み、前記押し棒シュートは、前記ピン機構にある孔に接続される。前記制御装置はピン押し棒を含み、前記制御装置のピン押し棒は第二プラグにあり、ピン機構のピンを制御する。制御装置にあるピン押し棒の一端は第二プラグと連動する。
【００３０】
本発明の優先方案の一つとして、前記制御装置にあるピン押し棒には斜面のシュートが設置され、前記ピン機構のピンには制御装置のピン押し棒にある斜面シュートに結合される凸部が設置される。制御装置のピン押し棒は水平方向に移動する時、制御装置にあるピン押し棒の斜面シュートがピンの凸部との結合により、ピンの上下移動を制御でき、ピンを鍵が解除できない位置と鍵が解除できる位置に切り替えられるようになる。
【００３１】
本発明の優先方案の一つとして、前記制御装置にあるピン押し棒の一端に溝が設置される。前記第一プラグにはブロック固定溝が設置される。一つのブロックは制御装置のピン押し棒にある溝と第一プラグのブロック固定溝を連結して、制御装置にあるピン押し棒の一端と第一プラグと連動させる。第一プラグが位置偏差方向に沿い、移動すると、第一プラグはブロックを通して、制御装置にあるピン押し棒を軸方向に沿い移動させる。
【００３２】
本発明の優先方案の一つとして、前記第二プラグには凸部がさらに設置される。前記第二プラグの凸部は第一プラグのブロック固定溝と制御装置にあるピン押し棒の溝との間にある。前記第二プラグの凸部にはブロックシュートが設置される。前記ブロックは前記第二プラグの凸部のブロックシュートを貫き、制御装置のピン押し棒の溝と第一プラグのブロック固定溝の間に嵌められる。第一プラグはブロックを通して、制御装置にあるピン押し棒を軸方向に沿い移動させる時、前記ブロックが軸方向に沿い、第二プラグの凸部のブロックシュートの中に移動する。
【００３３】
本発明の優先方案の一つとして、前記第二プラグの凸部のブロックシュートに斜面シュートが設置され、前記ブロックが第二プラグの凸部のブロックシュートの斜面シュートに結合され、ブロックを第二プラグのブロックシュートの中に、軸方向に沿い移動させ、さらにラジアル方向に沿い移動させる。第二プラグが位置偏差方向に沿い、第二位置に移動すると、前記ブロックは制御装置にあるピン押し棒の溝から脱出する。
【００３４】
本発明の優先方案の一つとして、前記ブロックの底にはばねが設置されている。前記ブロックの両側には翼が設置される。前記第二プラグにあるブロックシュートの斜面シュートは下向きに設置される。前記ブロックはばねにより、第一プラグのブロック固定溝に設置される。前記ブロックの翼は前記第二プラグのブロックシュートの斜面シュートに当接する。
【００３５】
本発明の優先方案の一つとして、前記上プラグと外筒の間にある上施錠機構は羽機構である。前記羽機構はラジアル方向に沿って上プラグと外筒の間に設置され、上プラグの回転を制限するストッパーと、上プラグの中に設置され、前記ストッパーの凸部が係合される溝を有する羽を備える。前記上プラグには軸方向に沿い、前記ストッパーに接続される押し棒シュートがさらに設置されている。前記制御装置はストッパー押し棒を含む。前記制御装置のストッパー押し棒は上プラグの押し棒シュートに取り付けられて、ストッパーを制御する。制御装置のストッパー押し棒の末端は下プラグと連動する。
【００３６】
本発明の優先方案の一つとして、前記制御装置のストッパー押し棒にはストッパーに対して軸方向に沿い移動可能にシュートが設置されている。前記制御装置のストッパー押し棒のシュートには斜面が設置される。前記ストッパーには凸部が設置される。制御装置のストッパー押し棒が後の第二位置に配置されるまでは、ストッパーをラジアル方向に沿い落下させないように、前記制御装置のストッパー押し棒の斜面は上向きに設置されて、前記ストッパーの凸部に結合される。
【００３７】
本発明の優先方案の一つとして、前記制御装置のストッパー押し棒の末端には穴が設置される。前記下プラグにはブロック固定溝が設置される。一つのブロックは制御装置のストッパー押し棒の穴と下プラグのブロック固定溝との間に接続され、制御装置のストッパー押し棒の末端と下プラグと連動させる。下プラグが軸方向に沿い移動する時、下プラグはブロックにより、制御装置のストッパー押し棒を連動して軸方向に沿い後に移動させる。
【００３８】
本発明の優先方案の一つとして、前記上プラグの押し棒シュートの底に軸方向に沿いブロックシュートがさらに設置される。前記上プラグのブロックシュートがブロックのブロック固定溝と制御装置のストッパー押し棒の穴の間に設置される。前記ブロックは前記上プラグのブロックシュートを貫き、制御装置のストッパー押し棒の穴と下プラグのブロック固定溝の間に嵌められる。下プラグがブロックにより制御装置のストッパー押し棒を軸方法に沿い移動させる時、前記ブロックは軸方向に沿い、上プラグのブロックシュートの中に移動する。
【００３９】
本発明の優先方案の一つとして、前記上プラグのブロックシュートには斜面シュートが設置される。前記ブロックは上プラグのブロックシュートの斜面シュートに結合され、ブロックが上プラグのブロックシュートの中に軸方向に沿い移動させるとともに、ラジアル方向に沿い移動させる。下プラグは軸方向に沿い第二位置に移動する時、前記ブロックは制御装置のストッパー押し棒の穴から脱出する。
【００４０】
本発明の優先方案の一つとして、前記ブロックの底にばねが設置される。前記ブロックの両側に翼が設置される。前記上プラグのブロックシュートの斜面シュートが下向きに設置される。前記ブロックはばねにより下プラグのブロック固定溝に取り付けられる。前記ブロックの翼は前記上プラグのブロックシュートの斜面シュートに当接する。
【００４１】
本発明の優先方案の一つとして、前記外プラグと外筒の間に外施錠機構はピン機構である。前記ピン機構は軸方向に沿い、外プラグと外筒の間に取り付けられて、外プラグの回転を制限する。前記外プラグに軸方向に沿い前記ピン機構のピン穴に接続される押し棒シュートが設置される。前記制御装置はピン押し棒とラッチボルトを含む。前記制御装置のピン押し棒は外プラグの押し棒シュートに取り付けられて、ピン機構のピンを制御する。制御装置のピン押し棒の末端はラッチボルトと連動する。前記ラッチボルトを外プラグの後部に据え付けられる。
【００４２】
本発明の優先方案の一つとして、前記制御装置のラッチボルトの前端には斜面が設置される。内プラグに軸方向に沿い、突出した凸部が設置される。制御装置のラッチボルトの斜面は内プラグの凸部に結合されることにより、内プラグを回転させる時、ラッチボルトがそれに応じて軸方向に沿い移動する。こうして、制御装置のピン押し棒も軸方向に沿い移動する。
【００４３】
本発明の優先方案の一つとして、前記第一プラグ及び前記第二プラグは前後に位置する。前記第一プラグは後プラグであり、前記第二プラグは前プラグである。前記第一施錠機構は後施錠機構であり、前記第二施錠機構は前施錠機構である。前記前施錠機構は羽機構である。前記羽仕機構はストッパーと前記ストッパーの底に結合される少なくとも一つの羽を含む。羽には正解溝と少なくとも一つのわな溝が設置される。後プラグにはストッパーを制御する制御装置がさらに取り付けられる。後プラグが第二位置に配置されるまでは、ストッパーが落下できない。鍵を鍵穴に差し込むと、鍵はまず、後施錠機構を解除して、そして、鍵で後プラグを押して、軸方向に沿い後の第二位置に移動させることにより、ストッパーを落下させる。ストッパーが羽の正解溝に落ちると、前施錠機構が解除される。前プラグ及び後プラグは鍵により同時に回転できるようになり、前記錠前は開錠される。ストッパーがわな溝に落ちると、前施錠機構が解除されず、羽は移動できない。
【００４４】
本発明の優先方案の一つとして、前記制御装置はストッパー押し棒と、ストッパー押し棒とストッパーの間にある組合せ構造を含む。前記前プラグに軸方向に沿う押し棒溝が設置される。前記押し棒溝は前プラグのストッパー溝に接続される。前記ストッパー溝は前記ストッパーを組み立てるために使用される。前記ストッパー押し棒は前プラグの押し棒溝に摺動可能に取り付けられて、ストッパーに結合される。前記制御装置のストッパー押し棒の末端は前記後プラグと連動する。後施錠機構が解除されない時、制御装置のストッパー押し棒は移動できない。制御装置のストッパー押し棒は第二位置に配置されるまでは、ストッパーは下がらない。
【００４５】
本発明の優先方案の一つとして、前記ストッパー押し棒とストッパーの間にある組合せ構造は下記のものを含む。
【００４６】
制御装置のストッパー押し棒に設置されるシュートである。前記ストッパーが前記ストッパー押し棒のシュートに摺動可能に取り付けられて、制御装置のストッパー押し棒とストッパーは交差して移動する。
【００４７】
ストッパーに設置される凸ボスと制御装置のストッパー押し棒のシュートに設置される斜面、及び斜面に水平方向に沿い設置される金属片を含む。前記制御装置のストッパー押し棒のシュートの斜面の底に凸ボスが設置される。前記第一金属片の一端は前記制御装置のストッパー押し棒のシュートの斜面の底にある凸ボスに固定される。前記金属片のもう一端は自由に制御装置のストッパー押し棒のシュートの斜面の頂部に置かれる。
【００４８】
本発明の優先方案の一つとして、前記ストッパーの凸ボスの突出寸法及び制御装置のストッパー押し棒のシュートの斜面にある凸ボスの幅寸法の合計は制御装置のストッパー押し棒のシュートの斜面の幅寸法より小さい。前記金属片の幅寸法は制御装置のストッパー押し棒のシュートの斜面の幅寸法と同じである。
【００４９】
本発明の優先方案の一つとして、制御装置のストッパー押し棒は後の第二位置に配置されるまでは、ストッパー凸ボスが金属片に制限されることにより、ストッパーは下がらない。制御装置のストッパー押し棒が後の第二位置に配置されると、ストッパーの凸ボスが金属片の制限から解放されることにより、ストッパーは下がる。制御装置のストッパー押し棒が前に移動する時、ストッパーの凸ボスは制御装置のストッパー押し棒のシュートの斜面に沿い上に移動する。制御装置のストッパー押し棒が前の第二位置に配置されると、ストッパーの凸ボスは金属片の自由端を外して、改めて金属片の頂部に戻る。
【００５０】
本発明の優先方案の一つとして、前記ストッパーの頂部にブロックが設置される。ブロックの頂部にばねが設置される。前記ばねはブロックの頂部と外筒の間に取り付けられる。
【００５１】
本発明の優先方案の一つとして、前記正解溝とわな穴の断面は矩形、円形、或いは台形である。
【発明の効果】
【００５２】
前記技術方案を採用すると、現有技術に比較すれば、本発明の有益な効果は下記のようになる。
【００５３】
本発明は二つのプラグが相互制御することを利用する。第一プラグのロックを解除するまでは、第一プラグは第二のプラグのロックの解除を制限する。第二プラグは第一プラグの回転を制限する。第一のプラグを解除した後、第一プラグは移動できるが、回転できない。第一プラグが第二位置に配置されると、第二プラグに対する制限を解除するが、第二プラグは依然として第一プラグの回転を制限する。第二プラグのロックを解除した後、第一プラグと第二プラグが同時に回転できるようになり、こうして、技術開錠あるいは不正開錠の難易度を大幅に上げて、錠前の安全性を高める。
【００５４】
第一プラグが第二位置に配置される時、第一プラグは第二プラグにある解除パーツの挿入口を一部閉鎖状態または完全閉鎖状態にさせる。この方法と構造は第一プラグが解除される場合に、第二プラグのロックを解除する難易度を大幅に上げる。
【００５５】
外筒と制御装置の間に遅延タイマーが設置されるため、第一プラグが位置偏差方向に沿い第二位置に移動すると、前記制御装置は遅延タイマーを押して、遅延タイマーが圧縮されエネルギーを蓄える。第一プラグと第二プラグが同時に回転する時、遅延タイマーはエネルギーを放出できないため、制御装置を戻さない。もし、第一プラグと第二プラグが回転しなければ、遅延タイマーは制限時間内にエネルギーを放出して、制御装置を第二施錠機構を制御する位置に戻す。本発明は遅延制御を利用して、大幅に錠前の安全性を高める。
【００５６】
本発明は位置偏差を時差に変更させる新理念、新方法を採用する。時空転換の概念を運用するのは錠前の業界には初めてのこととなり、技術面からいえば、業界をリードしている。第一プラグが第二位置に移動すること（即ち位置偏差）。第一プラグが第二位置に配置されると、第二プラグのロックは解除される条件を備える。第一プラグが移動する時、時間帯が生じる（即ち時差）。この時間帯を利用して、幾つかの制限条件が設置される。具体的には、下記のようになる。第一プラグは前に移動する時、鍵穴の扉を少しずつ閉めて、遅延タイマーがエネルギーを蓄える。第一プラグが第二位置に配置されてから、第二プラグのロックは解除される条件を備える。この時、一部閉鎖或いは完全閉鎖しているため、技術開錠の通路がない。それと共に、遅延タイマーは仕事を始め、開錠時間を遅延タイマーが設定する時間内に制限する。この時間を超えると、遅延タイマーはエネルギーを放出して、第二プラグを改めて解除されない状態に戻す。時空転換の概念により、ロジック面から技術的な不正開錠の可能性をゼロにする。錠前の安全性を大幅に高める。
【００５７】
これから、付図と実施例に合わせて本発明をより詳しく説明する。しかし、本発明の両プラグの相互制御、ロック解除方法及びダブルプラグ構造の錠前の錠前は実施例に限らない。
【図面の簡単な説明】
【００５８】
【図１】図１は実施例１の本発明の方法を実現する錠前の構造図である。
【図２】図２は実施例２の本発明のダブルプラグ構造の錠前の立体構造分解図である。
【図３】図３は実施例２の本発明のダブルプラグ構造の錠前の立体構造（角度を回転する）分解図である。
【図４】図４は実施例２の本発明のダブルプラグ構造の錠前の前プラグの構造図である。
【図５】図５は実施例２の本発明のダブルプラグ構造の錠前の前プラグ（角度を回転する）の構造図である。
【図６】図６は実施例２の本発明のダブルプラグ構造の錠前の制御装置と前施錠機構の組合せる構造図である。
【図７】図７は実施例２の本発明のダブルプラグ構造の錠前の制御装置と前施錠機構の組合せる（角度を回転する）構造図である。
【図８】図８は実施例２の本発明のダブルプラグ構造の錠前の遅延タイマーの構造図である。
【図９】図９は実施例２の本発明のダブルプラグ構造の錠前の鍵を差し入れる前の構造図である。
【図１０】図１０は実施例２の本発明のダブルプラグ構造の錠前の、鍵を差し入れた後、後プラグが移動しない構造図である。
【図１１】図１１は実施例２の本発明のダブルプラグ構造の錠前の、鍵を差し入れてから、後プラグが移動する過程１の構造図である。
【図１２】図１２は実施例２の本発明のダブルプラグ構造の錠前の、鍵を差し入れてから、後プラグが移動する過程２の構造図である。
【図１３】図１３は実施例２の本発明のダブルプラグ構造の錠前の、鍵を差し入れてから、後プラグが移動する過程３の構造図である。
【図１４】図１４は実施例２の本発明のダブルプラグ構造の錠前の、鍵を差し入れた後、後プラグが第二位置に配置される構造図である。
【図１５】図１５は実施例２の本発明のダブルプラグ構造の錠前の、鍵を差し入れた後、後プラグが第二位置に配置され、両プラグが回転せず、遅延タイマーが仕事を始める構造図である。
【図１６】図１６は実施例２の本発明のダブルプラグ構造の錠前の、遅延タイマーが第二位置に配置された構造図である。
【図１７】図１７は実施例２の本発明のダブルプラグ構造の錠前の、後プラグが前に移動する過程１の構造図である。
【図１８】図１８は実施例２の本発明のダブルプラグ構造の錠前の、後プラグが前に移動する過程２の構造図である。
【図１９】図１９は実施例２の本発明のダブルプラグ構造の錠前の、後プラグが前に移動する過程３の構造図である。
【図２０】図２０は実施例２の本発明のダブルプラグ構造の錠前の、後プラグが原始点に戻す時の構造図である。
【図２１】図２１は実施例３の本発明のダブルプラグ構造の錠前の、立体構造分解図である。
【図２２】図２２は実施例３の本発明のダブルプラグ構造の錠前の構造図である。
【図２３】図２３は図２２のＡ点の拡大図である。
【図２４】図２４は図２２のＢ点の拡大図である。
【図２５】図２５は図２２のＣ点の拡大図である。
【図２６】図２６は実施例３の本発明のダブルプラグ構造の錠前の鍵を差し入れる前の構造図である。
【図２７】図２７は実施例３の本発明のダブルプラグ構造の錠前の、鍵を差し入れた後、下プラグが移動しない構造図である。
【図２８】図２８は実施例３の本発明のダブルプラグ構造の錠前の、鍵を差し入れた後、下プラグが第二位置に配置されない構造図である。
【図２９】図２９は実施例３の本発明のダブルプラグ構造の錠前の、鍵を差し入れた後、下プラグが第二位置に配置される構造図である。
【図３０】図３０は実施例３の本発明のダブルプラグ構造の錠前の、鍵を差し入れた後、下プラグが第二位置に配置され、両プラグが回転せず、遅延タイマーが仕事を始める構造図である。
【図３１】図３１は実施例３の本発明のダブルプラグ構造の錠前の、遅延タイマーが第二位置に配置された構造図である。
【図３２】図３２は実施例３の本発明のダブルプラグ構造の錠前の、下プラグが原始点に戻る時の構造図である。
【図３３】図３３は実施例３の本発明のダブルプラグ構造の錠前の、下プラグが原始点に戻った時の構造図である。
【図３４】図３４は実施例４の本発明のダブルプラグ構造の錠前の立体構造分解図である。
【図３５】図３５は実施例４の本発明のダブルプラグ構造の錠前の構造図である。
【図３６】図３６は図３５のＤ点の拡大図である。
【図３７】図３７は図３５のＥ−Ｅラインを切断線としての断面図である。
【図３８】図３８は実施例４の本発明のダブルプラグ構造の錠前の鍵を差し入れる前の構造図である。
【図３９】図３９は図３８のＦ−Ｆラインを切断線としての断面図である。
【図４０】図４０は実施例４の本発明のダブルプラグ構造の錠前の、鍵を差し入れた後、下プラグが移動しない構造図である。
【図４１】図４１は図４０のＧ−Ｇラインを切断線としての断面図である。
【図４２】図４２は実施例４の本発明のダブルプラグ構造の錠前の、鍵を差し入れた後、下プラグが第二位置に配置されない構造図である。
【図４３】図４３は図４２のＨ−Ｈラインを切断線としての断面図である。
【図４４】図４４は実施例４の本発明のダブルプラグ構造の錠前の、鍵を差し入れた後、下プラグが第二位置に配置される構造図である。
【図４５】図４５は図４４のＩ−Ｉラインを切断線としての断面図である。
【図４６】図４６は実施例４の本発明のダブルプラグ構造の錠前の、鍵を差し入れた後、下プラグが第二位置に配置され、両プラグが回転せず、遅延タイマーが仕事を始める構造図である。
【図４７】図４７は図４６のＪ−Ｊラインを切断線としての断面図である。
【図４８】図４８は実施例４の本発明のダブルプラグ構造の錠前の、遅延タイマーが第二位置に配置された構造図である。
【図４９】図４９は図４８のＫ−Ｋラインを切断線としての断面図である。
【図５０】図５０は実施例４の本発明のダブルプラグ構造の錠前の、下プラグが原始点に戻る時の構造図である。
【図５１】図５１は図５０のＬ−Ｌラインを切断線としての断面図である。
【図５２】図５２は実施例４の本発明のダブルプラグ構造の錠前の、下プラグが原始点に戻った時の構造図である。
【図５３】図５３は図５２のＭ−Ｍラインを切断線としての断面図である。
【図５４】図５４は実施例５の本発明のダブルプラグ構造の錠前の立体構造分解図である。
【図５５】図５５は実施例５の本発明のダブルプラグ構造の錠前の別角度の立体構造分解図である。
【図５６】図５６は図５５のＳ１点の拡大図である。
【図５７】図５７は実施例５の本発明のダブルプラグ構造の錠前の、内プラグが第二位置に回転しない立体構造分解図である。
【図５８】図５８は実施例５の本発明のダブルプラグ構造の錠前の、鍵を差し入れた後、内プラグが回転しない断面図である。
【図５９】図５９は図５８のＳ２方向の正面図である。
【図６０】図６０は図５８のＳ３−Ｓ３ラインを切断線としての断面図である。
【図６１】図６１は実施例５の本発明のダブルプラグ構造の錠前の、鍵を差し入れた後、内プラグが回転しない時の、内プラグとラッチボルトの嵌め合う見取図である。
【図６２】図６２は実施例５の本発明のダブルプラグ構造の錠前の、鍵を差し入れた後、内プラグがある角度に回転して第二位置に配置されない時の立体構造分解図である。
【図６３】図６３は実施例５の本発明のダブルプラグ構造の錠前の、鍵を差し入れた後、内プラグがある角度に回転して第二位置に配置されない時の断面図である。
【図６４】図６４は図６３のＳ４方向の正面図である。
【図６５】図６５は図６３のＳ５−Ｓ５ラインを切断線としての断面図である。
【図６６】図６６は実施例５の本発明のダブルプラグ構造の錠前の、鍵を差し入れた後、内プラグがある角度に回転して第二位置に配置されない時の、内プラグとラッチボルトの嵌め合う見取図である。
【図６７】図６７は実施例５の本発明のダブルプラグ構造の錠前の、鍵を差し入れた後、内プラグが第二位置に配置された時、外施錠機構が解除されない時の立体構造図である。
【図６８】図６８は実施例５の本発明のダブルプラグ構造の錠前の、鍵を差し入れた後、内プラグが第二位置に配置された時、外施錠機構が解除されない時の断面図である。
【図６９】図６９は図６８のＳ６方向の正面図である。
【図７０】図７０は図６８のＳ７−Ｓ７ラインを切断線としての断面図である。
【図７１】図７１は実施例５の本発明のダブルプラグ構造の錠前の、鍵を差し入れた後、内プラグが第二位置に配置された時、外施錠機構が解除されない時、内プラグとラッチボルトの嵌め合う見取図である。
【図７２】図７２は実施例５の本発明のダブルプラグ構造の錠前の、鍵を差し入れた後、内プラグが第二位置に配置された時、外施錠機構が解除された時の立体構造図である。
【図７３】図７３は実施例５の本発明のダブルプラグ構造の錠前の、鍵を差し入れた後、内プラグが第二位置に配置された時、外施錠機構が解除された時の断面図である。
【図７４】図７４は実施例６の本発明のダブルプラグ構造の錠前の立体構造分解図である。
【図７５】図７５は実施例６の本発明のダブルプラグ構造の錠前の、鍵を差し入れる前の構造図である。
【図７６】図７６は図７５のＲ１−Ｒ１ラインを切断線としての断面図である。
【図７７】図７７は図７５のＲ２−Ｒ２ラインを切断線としての断面図である。
【図７８】図７８は図７５のＲ３点の拡大図である。
【図７９】図７９は実施例６の本発明のダブルプラグ構造の錠前の、鍵を抜いた時、ストッパー、押し棒、前プラグの組み合わせる見取図である。
【図８０】図８０は実施例６の本発明のダブルプラグ構造の錠前の、鍵を差し入れた後、後プラグが前に押さない構造図である。
【図８１】図８１は図８０のＲ４−Ｒ４ラインを切断線としての断面図である。
【図８２】図８２は実施例６の本発明のダブルプラグ構造の錠前の、鍵を差し入れた後、後プラグが前に押さない時、ストッパー、押し棒、前プラグの組み合わせる見取図である。
【図８３】図８３は実施例６の本発明のダブルプラグ構造の錠前の、鍵を差し入れた後、後プラグが前に押さない時、ストッパー、押し棒、前プラグの組み合わせる見取図（角度を回転する）である。
【図８４】図８４は実施例６の本発明のダブルプラグ構造の錠前の、鍵を差し入れた後、後プラグが第二位置に配置された構造図である。
【図８５】図８５は図８４のＲ５−Ｒ５ラインを切断線としての断面図である。
【図８６】図８６は実施例６の本発明のダブルプラグ構造の錠前の、鍵を差し入れた後、後プラグが第二位置に配置された時、ストッパー、押し棒、前プラグの組み合わせる見取図である。
【図８７】図８７は実施例６の本発明のダブルプラグ構造の錠前の、鍵を差し入れた後、後プラグが第二位置に配置された時、ストッパーが落下していない瞬間の構造図である。
【図８８】図８８は図８７のＲ６−Ｒ６ラインを切断線としての断面図である。
【図８９】図８９は実施例６の本発明のダブルプラグ構造の錠前の、鍵を差し入れた後、後プラグが第二位置に配置された時、ストッパーが落下していない瞬間、ストッパー、押し棒、前プラグの組み合わせる見取図である。
【図９０】図９０は実施例６の本発明のダブルプラグ構造の錠前の、鍵を差し入れた後、後プラグが第二位置に配置された時、ストッパーが落ちた時の構造図である。
【図９１】図９１は図９０のＲ７−Ｒ７ラインを切断線としての断面図である。
【図９２】図９２は実施例６の本発明のダブルプラグ構造の錠前の、鍵を差し入れた後、後プラグが第二位置に配置された時、ストッパーが落ちた時、ストッパー、押し棒、前プラグの組み合わせる見取図である。
【図９３】図９３は実施例６の本発明のダブルプラグ構造の錠前の、鍵を抜く過程１の構造図である。
【図９４】図９４は図９３のＲ８−Ｒ８ラインを切断線としての断面図である。
【図９５】図９５は実施例６の本発明のダブルプラグ構造の錠前の、鍵を引き取る過程１でのストッパー、押し棒、前プラグの組み合わせる見取図である。
【図９６】図９６は実施例６の本発明のダブルプラグ構造の錠前の、鍵を引き取る過程２の構造図である。
【図９７】図９７は図９６のＲ９−Ｒ９ラインを切断線としての断面図である。
【図９８】図９８は実施例６の本発明のダブルプラグ構造の錠前の、鍵を引き取る過程２でのストッパー、押し棒、前プラグの組み合わせる見取図である。
【図９９】図９９は実施例６の本発明のダブルプラグ構造の錠前の、鍵が第二位置に戻った時の構造図である。
【図１００】図１００は図９９のＲ１０−Ｒ１０ラインを切断線としての断面図である。
【図１０１】図１０１は実施例６の本発明のダブルプラグ構造の錠前の、鍵が第二位置に戻った時、ストッパー、押し棒、前プラグの組み合わせる見取図である。
【図１０２】図１０２は実施例７の本発明のダブルプラグ構造の錠前の遅延タイマーの構造図である。
【図１０３】図１０３は実施例８の本発明のダブルプラグ構造の錠前の遅延タイマーの構造図である。
【図１０４】図１０４は実施例９の本発明のダブルプラグ構造の錠前の遅延タイマーの構造図である。
【発明を実施するための形態】
【実施例１】
【００５９】
図１に示したように、これから、第一プラグと第二プラグは両方ともピン機構を採用する場合、より詳しく本発明の実施方法を説明する。
【００６０】
本発明の錠前はダブルプラグ結構であり、第一プラグ１１１と第二プラグ１２１がある。第一プラグ１１１は第一ピン機構１１２により第一プラグ１１１をロックしたり解除したりする。第一プラグ１１１にある第一ピン機構１１２がロックすると、つまり、第一ピン機構１１２が第一プラグ１１１とシリンダー１１０との間にロックすると、第一プラグ１１１は回転できなくなる。第一プラグ１１１にある第一ピン機構１１２を解除する時、他のロックがない場合、第一プラグ１１１が回転できる。同様に、第二プラグ１２１は第二ピン機構１２２により第二プラグ１２１をロックしたり解除したりする。第二プラグ１２１にある第一ピン機構１１２がロックすると、つまり、一第二ピン機構１２２が第二プラグ１２１とシリンダー１１０との間にロックすると、第二プラグ１２１は回転できなくなる。第二プラグ１２１にある第二ピン機構１２２を解除する時、他のロックがない場合、第二プラグ１２１が回転できる。
【００６１】
本発明にある錠前のダブルプラグ相互制御、ロック解除方法は、下記のものを含む。
【００６２】
まずは、第一プラグ１１１を解除する。第一プラグ１１１、つまり第一ピン機構１１２を解除するまでは、第一プラグ１１１は第二プラグ１２１の解除を制限している。第二プラグ１２１は第一プラグ１１１の回転を制限する。
【００６３】
まず、第一プラグ１１１を解除する。即ち、第一ピン機構１１２を解除する。この時、正しい解除パーツ、つまり正しい鍵１２０で、第一ピン機構１１２を解除しなければならない。第一プラグ１１１（即ち、第一ピン機構１１２）を解除するまでは、第一プラグ１１１は第二プラグ１２１の解除を制限している。第二プラグ１２１は第二ピン機構１２２を使用するので、第二プラグ１２１の解除を制限するのは実際に第二ピン機構１２２の解除を制限することである。本実施例の中に、第一プラグ１１１の動き部品１１３は第二プラグ１２１（即ち第二ピン機構１２２）のロックと関連している。第一プラグ１１１の動き部品１１３により、第二ピン機構１２２を制限する。図１のように、動き部品１１３で第二ピン機構１２２にある一つのピン、又は、何個のピンを障碍することにより動けなくする。例えば、第二ピン機構１２２の最も内側にあるピン１２２１を障碍して、ピン１２２１に動けなくすることにより、前記制御方法を実現する。こうして、第一プラグ１１１が動くまでは、第二プラグ１２１（即ち第二ピン機構１２２）は正しい解除パーツ（即ち、鍵１２０での正解の解除地域）だとしても解除できない。第二プラグ１２１は第一プラグ１１１の回転を制限する。剛性部品１２３で第一プラグ１１１と第二プラグ１２１を連接することにより、第二プラグの回転動作を第一プラグの回転動作と連結させる。剛性部品は偏心接合であり、よって、第二プラグ１２１を回転できない場合に、第一プラグ１１１も回転できなくなる。言い換えれば、第一プラグ１１１を回転できない場合に、第二プラグ１２１も回転できなくなる。第一プラグ１１１と第二プラグ１２１が同時に回転しなければならない。
【００６４】
第一プラグ１１１（即ち、第一ピン機構１１２）を解除した後、第一プラグ１１１が移動できなくなるが、回転できない。
【００６５】
第一プラグ１１１を解除した後、即ち、鍵１２０が第一ピン機構１１２とマッチングすると、他の外部の制限がなければ、第一プラグ１１１はそもそも回転できる。ただし、本発明は構造設定を通して、第一プラグ１１１が移動しかできず、回転ができない。もちろん、もう一つの外部制限が加えられる。つまり、第一プラグ１１１自身に生じさせることである。実際は第一プラグ１１１とシリンダーとの構造によりこれを実現する。例えば、図１のように、キー１１４がシリンダー１１０と第一プラグ１１１の間に配置される。そして、第一プラグ１１１には軸方向に沿い、環状溝１１５と軸方向に沿う線状溝１１６が設置される。キー１１４が環状溝１１５と軸方線状溝１１６に結合される状況により、第一プラグ１１１（即ち第一ピン機構１１２）が解除されても、回転できないことを実現する。これは第一プラグ１１１が自身の回転を制限することも含む。第一プラグ１１１が第二位置に移動されると、（キー１１４を移動して、環状溝１１５にマッチングする時）第一プラグ１１１自身は自身の回転に対する制限を解除する。
【００６６】
第一プラグ１１１が第二位置に配置されると、第一プラグ１１１は第二プラグ１２１のロックに対する制限を解除する。同時に、第二プラグ１２１は依然として、第一プラグ１１１の回転を制限する。
【００６７】
第一プラグ１１１が移動する時、動き部品１１３を動かすことに対して、下記のように設計する。動き部品１１３が移動するまでは、動き部品１１３は第二ピン機構１２２（即ちピン１２２１）をロックして、ピン機構１２２が動けなくなる。動き部品１１３は第二位置に配置されると、動き部品１１３がピン１２２１に対する障碍を移出することにより、第二プラグ１２１のピン機構１２２に対するロックを解除して、ピン機構１２２が動けるようになる。こうやって、第一プラグ１１１が第二位置に配置されると、第一プラグ１１１は第二プラグ１２１（即ち第二ピン機構１２２）のロックに対する制限を解除する。言い換えれば、第一プラグ１１１が第二位置に配置されると、第一プラグ１１１の動き部品１１３は自動的に第二プラグ１２１（即ち第二ピン機構１２２）に対するロックを解除して、正解の解除パーツ（鍵１２０）が第二プラグ（第二ピン機構１２２）のロックを解除できるようになる。
【００６８】
これから、第二プラグ１２１（即ち第二ピン機構１２２）のロックを解除する。第二プラグ（即ち第二ピン機構１２２）のロックが解除された後、第一プラグ１１１と第二プラグ１２１は同時に回転できるようになり、前記錠前は開錠される。
【００６９】
第二プラグ１２１のロックを解除することは第二ピン機構１２２のロックを解除することである。正しい解除パーツ即ち正しい鍵１２０でないと、第二ピン機構１２２のロックを解除できない。第二プラグの第二ピン機構１２２のロックが解除された後、二つのプラグが両方とも解除される。第一プラグ１１１と第二プラグ１２１は同時に回転できるようになり、前記錠前は開錠される。
【００７０】
本発明の錠前の両プラグ相互制御、ロック解除方法には下記の設計を追加できる。さらに、第一プラグ１１１が第二位置に配置されると、第一プラグは第二プラグにある解除パーツの挿入口（即ち鍵穴）を一部閉鎖状態または完全閉鎖状態にさせる。
【００７１】
前記設計方案においても第一プラグの動き部品１１３は第二プラグのロック（即ち第二ピン機構１２２）に関連付けられる。例えば、第二ピン機構１２２の最も外側のピン１２２２を制御して、前記ピン１２２２をできるだけ低い位置に落下させることにより、挟まれて、動けなくなる。ピン１２２２の底部と鍵１２０の隙間はできるだけ小さくする。こうすると、鍵穴を一部閉鎖させることができる。第一プラグ１１１が動くまでは、第一プラグ１１１は依然として第二プラグ１２１に作用しない、つまり、第一プラグ１１１が動かす動き部品１１３は第二プラグのピン機構のピン１２２２に作用しない。第一プラグ１１１が第二位置に配置されると、第二プラグのロック（即ち第二ピン機構１２２）は第一プラグ１１１の動き部品１１３の影響を受けて、第二プラグ１２１にある解除パーツの挿入口（鍵穴）を一部閉鎖させる。本実施例の中に、第二ピン機構を障碍することを通して、第二ピン機構にあるピン１２２２が鍵穴に伸びることにより、鍵穴を小さくする。
【００７２】
前記第二プラグ１２１にある解除パーツの挿入口（鍵穴）を一部閉鎖する時、一部閉鎖する挿入口（即ち鍵穴）に対するロックは解除状態となる。つまり、鍵穴の中に伸ばすピン１２２２は解除の位置に所在する。こうすると、鍵１２０の使用に影響を与えない。ピン１２２２の長さとピン１２０のマッチング状況によりこの方案を実現する。
【００７３】
前記第一プラグ１１１のロック解除と第二プラグのロック解除は同一の解除パーツ（鍵１２０）の違う位置を通して実現する。本発明の方案には、同一の鍵に、つまり鍵１２０に其々第一ピン機構１１２と第二ピン機構１２２を解除する解除位置が設置される。
【００７４】
正しい解除パーツ（即ち鍵１２０）を使う時、第一プラグ１１１が第二位置に配置されると、第一プラグ１１１は第二プラグ１２１が解除されることに対する制限を解除する。それとともに、解除パーツ（即ち鍵１２０）は第二プラグ１２１（即ち第二ピン機構１２２）も解除する。
【００７５】
本発明の錠前の両プラグ相互制御、ロック解除方法は二つのプラグが相互制御を利用して、技術開錠あるいは不正開錠の難易度を上げて、錠前の安全性を高める。プラグのロックはピン機構で実現するが、解除パーツは鍵を用いる。
【００７６】
合う鍵１２０を鍵穴に差し入れない時、第一プラグのピン機構１１２と第二プラグのピン機構１２２は両方とも閉鎖状態である。この時、第一プラグのピン機構１１２は第一プラグ１１１がシリンダーに対する動作を制限する一方、第二プラグのピン機構１２２は第二プラグ１２１がシリンダーに対する動作を制限する。そして、第一プラグ１１１の動き部品１１３が第二プラグ１２１（即ち第二プラグのピン機構１２２）のロック解除と関連するが、第二プラグ１２１の回転は第一プラグ１１１の回転と関連する。こうして第一プラグ１１１は第二プラグ１２１のピン機構のロック解除を制限して、第二プラグ１２１は第一プラグ１１１の回転を制限する。
【００７７】
合う鍵１２０を鍵穴に差し入れる時、まず、第一プラグを解除する。第一プラグが解除された後、第一プラグは移動できるようになるが、回転できない。この時、合う鍵１２０で第一プラグのピン機構１１２が第一プラグ１１１に対するロックを解除することにより、第一プラグ１１１はシリンダーに対して動けるようになるが、移動できるだけで、回転できない。これは第二プラグ１２１の回転が第一プラグ１１１の回転と関連するからである。こうして、第二プラグ１２１は依然として第一プラグ１１１の回転を制限している。
【００７８】
第一プラグ１１１が第二位置に配置されると、第一プラグ１１１は第二プラグ１２１（即ち第二プラグのピン機構１２２）のロックに対する制限を解除するが、第二プラグ１２１は依然として第一プラグ１１１の回転を制限する。もし合う鍵１２０を使って、第一プラグ１１１に移動させ、第一プラグ１１１が第二位置に配置されると、合う鍵は同時に第二プラグ１２１（即ち第二プラグのピン機構１２２）のロックを解除する。第一プラグ１１１と第二プラグ１２１は同時に回転できるようになり、前記錠前は開錠される。本実施例は前プラグ及び後プラグの構造である。上、下プラグと内、外プラグの構造にも適用する。
【実施例２】
【００７９】
図２〜２０を参照する。本発明の二つのプラグがある錠前はシリンダーと鍵２１を含む。前記シリンダーは外筒２２、第一プラグ２４と第二プラグ２３を含む。第一プラグ２４と第二プラグ２３は回転できるように外筒に取り付けられる。第一プラグ２４と外筒２２との間に、鍵で解除できる第一施錠機構２６を据え付けて、第二プラグ２３と外筒２２との間に、鍵で解除できる第二施錠機構２５を据え付けて、第一プラグ２４及び第二プラグ２３の外筒の中での回転を制限する。第一プラグ２４と第二プラグ２３は制御可能に互いに接続されている。第一プラグ２４には第二施錠機構２５を制御する制御装置２７が取り付けられる。第一プラグ２４にはプリセットされた位置偏差があり、第一プラグ２４が移動するまでは、第二施錠機構２５を解除することができない。鍵２１を鍵穴に差し入れると、まず鍵は第一施錠機構２６を解除する。そして、鍵２１で第一プラグ２４をプリセットされた位置偏差に沿い、第一位置から第二位置に移動させる。第一プラグ２４が第二位置に配置されると、前記制御装置２７が第二施錠機構２５に対する制御を解除することにより、鍵２１は第二施錠機構２５を解除する。第一プラグ２３及び第二プラグ２４は鍵に連動して回転できるようになり、前記錠前は開錠される。
【００８０】
前記第一プラグ２４と第二プラグ２３は前後に位置する。前記第一プラグ２４は後プラグであり、前記第二プラグ２３は前プラグである。前記第一施錠機構２６は後施錠機構であり、前記第二施錠機構２５は前施錠機構である。前プラグ２３及び後プラグ２４を外筒２２に回転可能に設置して、外筒２２に対する前プラグ２３及び後プラグ２４の回転を制限するために、前プラグと外筒２２との間に、鍵で解除できる前施錠機構２５が取り付けられ、後プラグと外筒２２との間に、鍵で解除できる後施錠機構２６が取り付けられる。前プラグ２３と後プラグ２４は制御可能に互いに接続されている。後プラグ２３には前施錠機構２５を制御する制御装置２７がさらに取り付けられる。後プラグ２４が第二位置に移動するまでは、前施錠機構２５を解除することができない。鍵２１を鍵穴に差し入れると、まず鍵２１は後施錠機構２６を解除する。そして、鍵２１で後プラグ２４をプリセットされた位置偏差に沿い、移動する。後プラグ２４が第二位置に配置されると、前記制御装置２７が前施錠機構２５に対する制御を解除することにより、鍵２１は前施錠機構を解除する。前プラグ２３、後プラグ２４は鍵に連動され回転すると、前記錠前は開錠される。
【００８１】
前記前プラグ２３と外筒２２の間にある前施錠機構２５はピン機構である。前記ピン機構がラジアル方向に沿い、前プラグと外筒との間に設置され前プラグの回転を制限する。前施錠機構２５は第一上ピン２５１、第一下ピン２５２、第一ピンばね２５３、外筒２２に配置される第一ピン穴２５４と前プラグ２３に配置される第二ピン穴２５５を含む。前施錠機構２５のピンの組み合わせ数は複数でもよい。外筒２２にある第一ピン穴２５４と前プラグ２３にある第二ピン穴２５５はマッチングできるところにある。第一上ピン２５１、第一ばね２５３と第一下ピン２５２は第一ピン穴２５４と第二ピン穴２５５の間に取り付けられる。鍵を抜く時、第一下ピン２５２は同時に第一ピン穴２５４と第二ピン穴２５５の中にあるため、前プラグ２３と外筒２２が回転できない。鍵で錠前を解除すると、第一上ピン２５１が第一ピン穴２５４に残り、第一下ピン２５２が第二ピン穴２５５の中に押されることにより、前プラグ２３と外筒２２が回転できるようになる。前記前プラグ２３には軸方向に沿い、そして前記ピン機構にあるピン穴に接続される押し棒シュート２３１がさらに配置される。前記制御装置は押し棒２７１を含む。前記押し棒２７１は前プラグの押し棒シュート２３１に配置され、ピン機構の第一下ピン２５２を制御する。押し棒２７１の一端は後プラグ２４と連動して、つまり、プラグ２４が移動する時、押し棒２７１も移動する。
【００８２】
前記押し棒２７１には斜面シュート２７１１が配置される。前記ピン機構の第一下ピン２５２には押し棒の斜面シュート２７１１に結合する凸部２５２１が設置される。押し棒２７１が水平方向に沿い移動すると、押し棒の斜面シュート２７１１とピンの凸部２５２１との組合せを通して、第一下ピン２５２の上下移動を制御でき、第一下ピン２５２を鍵が解除できる位置と鍵が解除できない位置に切り替えられるようになる。つまり、押し棒２７１の移動により第一下ピン２５２の上下移動を制御する。第一下ピン２５２が適当な位置に配置されると、鍵は前施錠機構２５を解除できる。第一下ピン２５２が別の位置に移動すると、鍵は前施錠機構２５を解除できなくなる。よって、制御装置が前施錠機構２５の解除を制御すると言える。
【００８３】
前記第一下ピン２５２には対称的に二つの凸部２５２１が設置される。前記押し棒２７１に設置される二つの斜面シュートは其々、第一下ピン２５２の二つの凸部２５２１に結合される。こうして、第一下ピン２５２が順調に上下移動できることを保証する。
【００８４】
鍵穴の前部に設置される開閉扉機構２８をさらに含む。前記開閉扉機構２８は前記制御装置の押し棒により、後プラグ２４と連動する。後プラグが後ろの第二位置に移動する時、前記開閉扉機構２８は鍵穴を閉める。
【００８５】
前記開閉扉機構２８は鍵穴の前部の上側にある上扉２８１を含む。前記上扉２８１は押し棒２７１の一端に結合される。上扉２８１には斜面２８１１が設置される。押し棒のもう一端には斜面２７１２が設置される。上扉２８１の斜面２８１１は押し棒の斜面２７１２に結合する。後プラグ２４は押し棒２７１を動かしながら後ろに移動する時、上扉２８１の斜面２８１１と押し棒の斜面２７１２の組合せにより、上扉２８１を降ろす。上扉２８１は鍵穴の一部を遮る。後プラグ２４は押し棒２７１を動かしながら前に移動する時、上扉２８１の斜面２８１１と押し棒の斜面２７１２の組合せにより、上扉２８１を上げる。上扉２８１は鍵穴を遮らない。
【００８６】
前記開閉扉機構２８には鍵穴の前部の下側にある下扉２８２と下扉押し棒２８３を含む。前記下扉押し棒２８３の一端は後プラグ２４に固定する。下扉２８２には斜面２８２１が設置される。下扉押し棒２８３のもう一端には斜面２８３１が設置される。下扉２８２の斜面２８２１は下扉押し棒２８３の斜面２８３１に結合する。後プラグ２４は下扉押し棒２８３を動かしながら後ろに移動する時、下扉２８２の斜面２８２１と下扉押し棒２８３の斜面２８３１の組合せにより、下扉２８２を上げる。下扉２８２は鍵穴の一部を遮る。後プラグ２４は下扉押し棒２８３を動かしながら前に移動する時、下扉２８２の斜面２８２１と下扉押し棒２８３の斜面２８３１の組合せにより、下扉２８２を降ろす。下扉２８２は鍵穴を遮らない。
【００８７】
前記押し棒２７１の一端には穴２７１３が設置される。前記後プラグ２４にはブロック固定溝２４１が設置される。ブロック２７２は押し棒２７１の穴２７１３と後プラグ２４のブロック固定溝２４１の間に挿入され、押し棒の一端を後プラグ２４と連動する。後プラグ２４が軸に沿い移動する時、後プラグ２４はブロック２７２により、押し棒２７１を動かして軸方向に沿い、移動する。
【００８８】
前記前プラグ２３の末端には凸部２３２が設置される。前記前プラグ２３の凸部２３２は後プラグのブロック固定溝２４１と押し棒２７１の穴２７１３の間にある。前プラグ２３の凸部２３２にはブロックシュート２３２１が設置される。前記ブロック２７２は前記前プラグ２３の凸部２３２のブロックシュート２３２１を貫き、押し棒２７１の穴２７１３と後プラグのブロック固定溝２４１の間に嵌められる。後プラグ２４はブロック２７２により、押し棒２７１を動かしながら軸方向に沿い、移動する時、前記ブロック２７２は軸方向に向け、ブロックシュート２３２１の中に移動する。
【００８９】
前記前プラグ２３のブロックシュート２３２１には斜面シュート２３２２が設置される。前記ブロック２７２は前プラグ２３のブロックシュートにある斜面シュート２３２２に結合して、ブロック２７２をブロックシュート２３２１の中に軸に沿い移動しながらラジアル方向に移動させる。後プラグ２４が軸に沿い後ろの第二位置に移動すると、前記ブロック２７２は押し棒の穴２７１３から脱出する。
【００９０】
前記ブロック２７２の底部にばね２７３が設置される。前記ブロック２７２の両側に羽２７２１が設置される。前記ブロックシュートの斜面シュート２３２２は下向きに設置される。ブロック２７２は前記ばね２７３により後プラグ２４にあるブロック固定溝２４１の中に設置される。前記ブロックの羽２７２１は前記ブロックシュートの斜面シュート２３２２に当接する。
【００９１】
遅延タイマーをさらに含む。前記遅延タイマーは水圧式遅延タイマー２９である。前記水圧式遅延タイマー２９は外筒２２と押し棒２７１の一端との間に設置される。プラグ２４が後ろにある第二位置に移動すると、押し棒２７１は遅延タイマー２９を押して、遅延タイマーが圧縮されエネルギーを蓄える。後プラグ２３と前プラグ２４が同時に回転する時、遅延タイマー２９はエネルギーを放出できず、押し棒２７１を元の位置に戻せない。前後プラグは回転しない場合に、遅延タイマーは設定された時間内にエネルギーを放出して押し棒２７１を前施錠機構を制御する位置に戻す。
後プラグ２４が原始の位置に復帰する時、すべての部品は原始状態に戻る。
【００９２】
前記水圧式遅延タイマー２９は本体２９１、ピストン２９２、内管２９３、スプリング２９４、軸心２９５を含む。前記内管２９３が本体２９１の中に固定される一方、内管２９３と本体２９１との間に油室が設置される。前記ピストン２９２はスプリング２９４の内管２９３の中に摺動可能に取り付けられる。ピストン２９２と内管２９３との間に内管内部と前記油室を繋げる減衰穴が設置される。前記軸心２９５の一端はピストン２９２に固定され、軸心２９５のもう一端は前記押し棒２７１の一端に結合される。油が速やかに内管内部から油室に流動できるように、前記内管２９３にはチェックバルブが設置される。
【００９３】
前記水圧式遅延タイマー２９の逆止弁とも称するチェックバルブは作動油が内管から排出の大流量の単方向通路である。減衰穴は作動油が内管を経由して両方向流通の調整可能の極狭い通路である。軸心２９５は外部の力を受ける時、ピストン２９２を動かして、スプリング２９４を押し付けて、内管２９３の作動油が逆止弁から減衰穴を経由して排出する。外部の力を消すと、圧縮されたスプリング２９４は元の位置に復帰してピストン２９２を押し付ける。ピストン２９２は移動して作動油を圧縮し始める。作動油が圧縮されてから、減衰穴を経由して内管２９３に入る。（減衰穴の寸法は調整可能なので、ピストンの移動スピードを制御できて、遅延作用を果たす。）スプリング２９４はピストン２９２を原始点に押し戻して次の動作を待つ。この原理により、遅延タイマーは移動した部品を遅延復帰させる。
【００９４】
本実施例の中で、前記後プラグ２４と外筒２２の間の後施錠機構はピン機構である。前記ピン機構はラジアル方向に沿い、後プラグと外筒の間に取り付けられて、後プラグの回転とラジアル方向に沿う移動を制限する。もちろん、後プラグ２４と外筒２２の間の後施錠機構は羽目機構にしてもよい。
これから、より詳しく本発明の開錠方法を説明する。
【００９５】
図９〜図２０に示したように、鍵を抜いた時、前プラグ２３の前施錠機構２５は前プラグ２３の外筒２２での回転を制限する。後プラグ２４の後施錠機構２６は後プラグ２４の外筒２２での回転を制限する。そして、前プラグは後プラグの回転を制御する（これは前プラグと後プラグとの間に押し棒２７１と下扉押し棒２８３があるからである）。後プラグ２４は制御装置２７により前プラグ２３の解除を制御する。この時、上扉２８１、下扉２８２は開く状態にある。
【００９６】
合う鍵を鍵穴に差し入れて後プラグの解除位置に配置されると、後プラグの後施錠機構がピン機構でも、羽目機構でも、合う鍵は後施錠機構２６を解除できる。後施錠機構２６のロックを解除した後、後プラグ２４は外筒２２で移動できる。
【００９７】
後プラグ２４が後ろに移動するまでは、制御装置に制御されるため、前プラグ２３は解除されない。
【００９８】
後プラグ２４は後ろに移行する時、押し棒２７１を動かしながら後ろに移動させる。押し棒２７１が後ろに移動することでピン２５２を少しずつ下げる。後プラグ２４が後ろに移行する時、ブロック２７２も少しずつ沈下する。
【００９９】
後プラグ２４が後ろにある第二位置に配置されると、第一下ピン２５２も第二位置に下がり、第一下ピン２５２は鍵がロック解除できない位置から鍵がロック解除できる位置に切り替わる。この時、前プラグ２３は解除される。この時のブロック２７２も完全に押し棒２７１の穴２７１３から脱出する。
【０１００】
合う鍵が前施錠機構２５を解除するので、この時、前プラグ２３、後プラグ２４は同時に回転でき、前記錠前は開錠される。鍵を抜くと、後プラグ２４は元の位置に復帰するので、すべての部品は原始状態に復帰する。
【０１０１】
もし、制限時間内（遅延タイマー２９に対して、時間を設定できる）に、前プラグ２３と後プラグ２４が同時に回転しなければ、遅延タイマー２９は仕事を始め、遅延タイマー２９のスプリングがリセットされる。遅延タイマー２９は軸心２９５により押し棒２７１を前に移動させる。押し棒２７１が前に移動する時、第一下ピン２５２を連動して上げる。これは第一下ピン２５２を鍵がロック解除できる位置から鍵がロック解除できない位置に移動させる。制御装置は改めて前施錠機構２５を制御する。
【実施例３】
【０１０２】
図２１〜図３３に示したように、本発明は二つのプラグが相互制御する錠前を提供する。前記錠前はシリンダーと鍵３１０を含む。前記シリンダーは外筒３１とプラグを含む。前記プラグを回転可能に外筒３１に取り付けられる。前記プラグは上プラグ３２１（即ち第二プラグ）と下プラグ３２２（即ち第一プラグ）に分けられる。そして、前記下プラグ３２２は外筒３１の中で、軸に沿い移動できる。前記上プラグ３２１と外筒３１の間に上施錠機構（即ち第一施錠機構）が据え付けられる。前記鍵３１０には上キーウェイと下キーウェイが配置され、前記上キーウェイは上施錠機構を解除し、前記下キーウェイは下施錠機構を解除する。前記下プラグ３２２は上施錠機構３３を制御する制御装置が設置される。下プラグ３２２が軸に沿い第二位置に移動するまでは、上施錠機構３３は解除条件を備えない。鍵３１０を鍵穴に差し入れると、鍵３１０の下キーウェイはまず下施錠機構３４を解除して、それから、鍵３１０で下プラグ３２２を押して、軸に沿い後ろの第二位置に移動させる。この時、前記制御装置は上施錠機構３３に対する制御を解除して、鍵３１０の上キーウェイが上施錠機構３３を解除できるようになる。上プラグ３２１、下プラグ３２２は鍵３１０の連動により、同時に回転して、前記錠前は開錠される。
【０１０３】
前記上プラグ３２１と外筒３１の間にある上施錠機構３３はピン機構である。前記ピン機構はラジアル方向に沿い、上プラグ３２１と外筒３１の間に据え付けられ、上プラグ３２１の回転を制限する。前記上プラグ３２１には軸方向に沿い、そして前記ピン機構にあるピン穴に接続される押し棒シュート３２１１が配置される。前記制御装置は押し棒３５を含む。前記押し棒３５は上プラグの押し棒シュート３２１１に配置され、ピン機構のピン３３１を制御する。押し棒３５の末端は下プラグ３２２と連動する。
【０１０４】
前記押し棒３５には斜面シュート３５１が配置される。前記ピン機構のピン３３１には押し棒の斜面シュート３５１に結合する凸部３３１１が設置される。押し棒２７１が軸方向に沿い移動すると、押し棒の斜面シュート３５１とピンの凸部３３１１との組合せを通して、ピン３３１の上下移動を制御でき、ピン３３１を鍵が解除できない位置と鍵が解除できる位置に切り替えられるようになる。
【０１０５】
本発明の上施錠機構３３のピン機構は殆ど、現有技術に通用している組み合わせを採用する。異なるのはピン３３１に凸部３３１１が設置されることである。そして、ピン穴も凸部３３１１の移動に結合する構造で設置しなければならない。
【０１０６】
前記ピン３３１には対称的に二つの凸部３３１１が設置される。前記押し棒３５に設置される二つの斜面シュートは其々、ピン３３１の二つの凸部３３１１に結合される。
【０１０７】
前記押し棒３５の末端には穴３５２が設置される。前記下プラグ３２２にはブロック固定溝３２２１が設置される。ブロック３５３は押し棒の穴３５２と下プラグのブロック固定溝３２２１の間に連接して、押し棒３５の末端を下プラグ３２２と連動させる。下プラグ３２２が軸に沿い移動する時、下プラグ３２２はブロック３５３の連動により、押し棒２７１を動かして軸方向に沿い、移動させる。
【０１０８】
前記上プラグ３２１の押し棒シュート３２１１の底には軸方向に沿うブロックシュート３２１２が設置される。前記ブロックシュート３２１２は下プラグのブロック固定溝３２２１と押し棒の穴３５２の間にある。前記ブロック３５３は上プラグのブロックシュートを貫き、押し棒の穴３５２と下プラグのブロック固定溝３２２１の間に嵌められる。下プラグ３２２はブロック３５３により押し棒３５を動かしながら軸方向に沿い移動させる時、前記ブロック３５３は軸方向に沿いブロックシュート３２１２の中に移動する。
【０１０９】
前記ブロックシュート３２１２には斜面シュート３２１３が設置される。前記ブロック３５３はブロックシュート３２１２の斜面シュート３２１３に結合され、ブロック３５３がブロックシュート３２１２の中に軸方向に沿い移動させる。下プラグ３２２が軸方向に沿い後ろの第二位置に移動すると、前記ブロック３５３は押し棒の穴３５２から脱出する。
【０１１０】
前記ブロック３５３の末端にはばね３５４が設置される。前記ブロック３５３の両側には翼が設置される。前記ブロックシュートの斜面シュート３２１３は下向きに設置される。前記ブロック３５３は前記ばね３５４により、下プラグのブロック固定溝３２２１に設置される。前記ブロック３５３の翼は前記ブロックシュートの斜面シュート３２１３に当接する。
【０１１１】
前記錠前は鍵穴の前部に設置される開閉扉機構をさらに含む。前記開閉扉機構は前記下プラグ３２２と連動する。下プラグ３２２が軸方向に沿い後ろの第二位置に移動すると、前記開閉扉機構は鍵穴を閉める。
【０１１２】
前記開閉扉機構は鍵穴の前部の上側と下側に設置される上扉３６１、下扉３６２を含む。前記上扉３６１は上扉押し棒３６３の前端に結合され、前記下扉３６２は下扉押し棒３６４の前端に結合される。前記上扉押し棒３６３、下扉押し棒３６４の末端は其々、下プラグ３２２に固定される。
【０１１３】
前記上扉３６１には斜面３６１１が設置される。上扉押し棒３６３の前端には斜面３６３１が設置される。上扉の斜面３６１１は上扉押し棒３６３の斜面３６３１に結合する。前記下扉３６２には斜面３６２１が設置される。下扉押し棒３６４の前端には斜面３６４１が設置される。下扉の斜面３６２１と下扉押し棒の斜面３６４１に結合する。
下プラグ３２２が原始点に復帰すると、すべての部品は原始状態に復帰する。
【０１１４】
前記ダブルプラグ構造の錠前は遅延タイマー３７をさらに含む。前記遅延タイマー３７は外筒３１と押し棒３５の末端の間に取り付けられる。下プラグ３２２が後ろの第二位置に配置されると、押し棒３５は遅延タイマー３７を押し付け、遅延タイマーが圧縮され、エネルギーを蓄える。上プラグ３２１、下プラグ３２２が回転すると、遅延タイマー３７はエネルギーを放出できなくなり、押し棒３５を元の位置に戻すことができない。上プラグ３２１、下プラグ３２２が回転しないと、遅延タイマー３７は所定の時間内にエネルギーを放出して、押し棒３５を上施錠機構３３を制御する位置に戻す、即ち、改めてピン３３１を挟む。
遅延タイマー３７は実施例２と同様の構造を使っても良い。
【０１１５】
前記下プラグ３２２と外筒３１の間にある下施錠機構３４はピン機構３４１である。前記ピン機構３４１はラジアル方向に沿い下プラグ３２２と外筒３１の間に設置され、下プラグ３２２の回転と軸方向に沿う移動を制限する。
ピン機構３４１は現有通常のピン組み合わせと構造を使っても良い。
これから、より詳しく本発明のダブルプラグ構造の錠前の開錠方法を説明する。
【０１１６】
図２６〜図３３に示したように、鍵を抜いた時、上プラグ３２１の上施錠機構３３は上プラグ３２１の外筒３１の中での回転を制限する。下プラグ３２２の下施錠機構３４は下プラグ３２２の外筒３１の中での回転と軸方向に沿う移動を制限する。そして、上プラグ３２１は下プラグ３２２の回転を制御する。下プラグ３２２は制御装置により、上プラグ３２１の解除を制御する。この時の上扉３６１、下扉３６２は開いた状態である。
【０１１７】
合う鍵は鍵穴に差し込まれて、下プラグ３２２の下施錠機構３４にマッチングする時、即ち鍵３１０の下キーウェイがピン機構３４１に結合すると、下施錠機構３４が解除される。下施錠機構３４を解除した後、理論から言えば、下プラグ３２２は外筒３１の中で回転または軸方向に沿い移動できる。ただし、上プラグ３２１の制限により、下プラグ３２２は軸方向に沿い移動できるが、回転できない。鍵３１０は下プラグ３２２を押して軸方向に沿い後ろに移動させることができる。
【０１１８】
下プラグ３２２が後ろに移動するまでは、制御装置の制御により、上プラグ３２１のロックを解除できない。
【０１１９】
下プラグ３２２が後ろに移動すると、押し棒３５を連動して、後ろに移動させる。押し棒３５が後ろに移動することにより、ピン３３１は少しずつ下がる。下プラグ３２２が後ろに移動するとともに、ブロック３５３も少しずつ沈下する。
【０１２０】
下プラグ３２２は後ろの第二位置に配置されると、ピン３３１も第二位置に降りる。ピン３３１は鍵が解除できない位置から鍵が解除できる位置に切り替わる。この時、上プラグ３２１のロックを解除できる。この時のブロック３５３も完全に押し棒３５の穴３５２から脱出する。下プラグ３２２が後ろに移動する時、上扉押し棒３６３と下扉押し棒３６４を連動して後ろに移動させる。斜面の組合せにより、上扉３６１、下扉３６２は段々閉じる。下プラグ３２２が後ろの第二位置に配置されると、遅延タイマー３７は圧縮され、エネルギーを貯蔵する状態になる。
【０１２１】
合う鍵は上施錠機構３３を解除する。この時、上プラグ３２１及び下プラグ３２２は同時に回転できるようになり、前記錠前は開錠される。鍵を抜くと、下プラグ３２２は原始点に戻り、すべての部品は原始状態に復帰する。
【０１２２】
もし、所定時間内（遅延タイマー３７に対して、時間を設定できる）に、上プラグ３２１と下プラグ３２２が同時に回転しなければ、遅延タイマー３７は仕事を始め、遅延タイマー３７をリセットする。遅延タイマー３７は押し棒３５を前に移動させる。押し棒３５が前に移動する時、ピン３３１を連動して上げる。これはピン３３１を鍵がロック解除できる位置から鍵がロック解除できない位置に移動させる。制御装置は改めて上施錠機構３３を制御する。
【実施例４】
【０１２３】
図３４〜図５３に示したように、本発明のダブルプラグ構造の錠前は実施例３と異なり、上プラグ３２１と外筒３１の間にある上施錠機構３３が違うため、それに対する制御装置とほかの部品との接合部も違う。
【０１２４】
本実施例には、前記上プラグ３２１と外筒３１の間にある上施錠機構３３は羽機構である。前記羽機構はラジアル方向に沿い、上プラグ３２１と外筒３１の間にある上プラグの回転を制限するストッパー３３２及び、上プラグの中に取り付られる、前記ストッパー３３２と連動できる羽組み合わせ３３３を含む。羽組み合わせ３３３は上プラグ３２１の中に取り付けられる。ストッパー３３２はブロックとばねにより上プラグ３２１と外筒３１の間に取り付けられる。前記上プラグ３２１には軸方向に沿い、前記ストッパーに接続される押し棒シュート３２１４が設置されている。前記制御装置はストッパー押し棒３８を含む。前記ストッパー押し棒３８は上プラグの押し棒シュート３２１４に据え付けられ、ストッパー３３２を制御する。ストッパー押し棒３８の末端は下プラグ３２２と連動する。
【０１２５】
前記ストッパー押し棒３８にはストッパーの軸方向に沿い移動できるシュート３８１が設置されている。前記ストッパー押し棒のシュート３８１の中に斜面３８１１がある。前記ストッパー３３２には凸部３３２１が設置される。前記ストッパー押し棒の斜面３８１１は上向きに設置され、前記ストッパーの凸部３３２１に結合されて、ストッパー押し棒３８が後ろの第二位置に移動しない時に、ストッパー３３２がラジアル方向に沿い沈下することを制限する。
【０１２６】
前記ストッパー３３２に対称的に二つの凸部３３２１が設置される。前記ストッパー押し棒のシュート３８１に二つの斜面３８１１が設置されて、其々、ストッパーの二つの凸部３３２１に結合される。
【０１２７】
前記ストッパー押し棒３８の末端には穴３８２が設置される。前記下プラグ３２２にはブロック固定溝３２２２が設置される。一つのブロック３８３はストッパー押し棒の穴３８２と下プラグのブロック固定溝３２２２を連接して、ストッパー押し棒３８の末端を下プラグ３２２と連動させる。下プラグ３２２が軸方向に沿い移動する時、下プラグ３２２はブロック３８３により、ストッパー押し棒３８を動かしながら軸方向に沿い移動させる。
【０１２８】
前記上プラグの押し棒シュート３２１４の底に軸方向に沿うブロックシュート３２１５が設置される。前記ブロックシュート３２１５は下プラグのブロック固定溝３２２２とストッパー押し棒の穴３８２の間に据え付けられる。前記ブロック３８３は前記上プラグのブロックシュート３２１５を貫き、ストッパー押し棒の穴３８２下プラグのブロック固定溝３２２２の間に嵌め合う。下プラグ３２２がブロック３８３により、ストッパー押し棒３８を連動して、軸方向に沿い移動させる時、前記ブロック３８３は軸方向に沿い、ブロックシュート３２１５の中に移動する。
【０１２９】
前記ブロックシュート３２１５には斜面シュート３２１６が設置される。前記ブロック３８２はブロックシュートの斜面シュート３２１６に結合されて、ブロック３８３がブロックシュート３２１５の中に軸方向に沿い移動させ、同時にラジアル方向に沿い移動させる。下プラグ３２２が軸方向に沿い後ろの第二位置に移動すると、前記ブロック３８３はストッパー押し棒３８の穴３８２から脱出する。
【０１３０】
前記ブロック３８２の底にばね３８４が取り付けられる。前記ブロック３８３の両側に翼が設置される。前記ブロックシュートの斜面シュート３２１６は下向きに設置される。前記ブロック３８３はばね３８４により、下プラグのブロック固定溝３２２２の中に取り付けられる。前記ブロック３８３の翼は前記ブロックシュートの斜面シュート３２１６の中に当接する。
これから、より詳しく本発明の開錠方法を説明する。
【０１３１】
図３８〜図５３に示したように、鍵を抜いた時、上プラグ３２１の上施錠機構３３は上プラグ３２１の外筒３１の中での回転を制限する。下プラグ３２２の下施錠機構３４は下プラグ３２２の外筒３１の中での回転と軸方向に沿う移動を制限する。上プラグ３２１は下プラグ３２２の回転を制御する。下プラグ３２２は制御装置により、上プラグ３２１の解除を制御する。この時の上扉３６１、下扉３６２は開いた状態である。
【０１３２】
合う鍵を鍵穴に差し入れて、下プラグ３２２の下施錠機構３４とマッチングすると、即ち、鍵３１０の下キーウェイがピン機構３４１とぴったり結合される時、下施錠機構３４が解除される。下施錠機構３４が解除された後、理論から言えば、下プラグ３２２は外筒３１の中で回転または軸方向に沿い移動できる。ただし、上プラグ３２１の制限により、下プラグ３２２は軸方向に沿い移動できるが、回転できない。鍵３１０は下プラグ３２２を押して軸方向に沿い後ろに移動させる。
【０１３３】
下プラグ３２２が後ろに移動するまでは、制御装置の制御により、上プラグ３２１のロックは解除されない。
【０１３４】
下プラグ３２２が後ろに移動する時、ストッパー押し棒３８を動かしながら後ろに移動させる。ストッパー押し棒３８が後ろに移動することにより、少しずつストッパー３３２の凸部３３２１に対する挟みを解除する。下プラグ３２２が後ろに移動する時、ブロック３８３も少しずつ降りる。
【０１３５】
下プラグ３２２が後ろの第二位置に配置されると、ストッパー押し棒３８の斜面３８１１はストッパー３３２の凸部３３２１に対する挟みを解除する。この時、上プラグ３２１を解除できる。ブロック３８３も完全にストッパー押し棒３８の穴３８２から脱出する。下プラグ３２２が後ろに移動する時、上扉押し棒３６３と下扉押し棒３６４を動かして後ろに移動させる。斜面との組合せにより、上扉３６１、下扉３６２は段々閉まる。下プラグ３２２が後ろの第二位置に配置されると、遅延タイマー３７は圧縮され、エネルギーを蓄える状態になる。
【０１３６】
合う鍵により上施錠機構３３が解除される。この時、上プラグ３２１、下プラグ３２２は同時に回転できるようになり、前記錠前は開錠される。鍵を抜く時、下プラグ３２２は原始点に戻り、すべての部品が原始状態に復帰する。
【０１３７】
もし、所定時間内（遅延タイマー３７に対して、時間を設定できる）に、上プラグ３２１と下プラグ３２２が同時に回転しなければ、遅延タイマー３７は仕事を始め、遅延タイマー３７をリセットする。遅延タイマー３７はストッパー押し棒３８を前に移動させる。ストッパー押し棒３８が前に移動した後、ストッパー押し棒３８の斜面３８１１は改めてストッパー３３２の凸部３３２１を挟み、制御装置が改めて上施錠機構３３を制御する。
【実施例５】
【０１３８】
図５４〜図７３に示したように、本発明は二つのプラグが相互制御する錠前を提供する。前記錠前はシリンダーと鍵５９を含む。前記シリンダーは外筒５１、内プラグ５２（即ち第一プラグ）、外プラグ５３（即ち第二プラグ）を含む。外プラグ５３を回転可能に外筒３１に取り付けられる。外プラグ５３と外筒５１の間に鍵５９で解除できる外施錠機構５５（即ち第二施錠機構）が取り付けられ、外筒５１での回転を制限する。内プラグ５２を回転可能に外プラグ５３に取り付けられる。内プラグ５２と外プラグ５３の間に鍵５９で解除できる内施錠機構５４（即ち第一施錠機構）が取り付けられ、外プラグ５３での回転を制限する。内プラグ及び外プラグは制御可能に互いに接続されている。内プラグ５２には外施錠機構５５を制御する制御装置５６が取り付けられる。プラグ５２が第二位置に回転しない時、外施錠機構５５を解除することができない。鍵５９を鍵穴に差し入れると、まず鍵５９は内施錠機構５４を解除する。そして、鍵５９で内プラグ５２を第二位置に回転する。この時、前記制御装置５６が外施錠機構５５に対する制御を解除することにより、鍵５９は外施錠機構５５を解除する。内プラグ及び外プラグは鍵５９に連動されて同時に回転できるようになり、前記錠前は開錠される。
【０１３９】
前記外プラグ５３と外筒５１の間にある外施錠機構５５は第一ピン機構５５１である。前記第一ピン機構５５１はラジアル方向に沿い、外プラグ５３と外筒５１の間に取り付けられ、外プラグ５３の回転を制限する。外施錠機構５５は第一上ピン５５１１、第一下ピン５５１２、第一ばね５５１３、外筒５１に設置される第一ピン穴５１３と外プラグ５３に設置される第二ピン穴５３２を含む。外施錠機構５５のピン組み合わせ数は複数でもよい。外筒５１に設置される第一ピン穴５１３と外プラグ５３に設置される第二ピン穴５３２は結合される位置にある。第一上ピン５５１１と第一下ピン５５１２は第一ばね５５１３により、第一ピン穴５１３と第二ピン穴５３２の間に据え付けられる。外プラグ５３のロックが解除されない時、第一下ピン５５１２は同時に第一ピン穴５１３と第二ピン穴５３２の中にあるため、外プラグ５３は外筒５１の中で回転できない。外プラグ５３のロックが解除される時、第一下ピン５５１２は第二ピン穴５３２の中に押されるため、外プラグ５３は外筒５１の中で回転できるようになる。前記５３には軸方向に沿い、前記第一ピン機構５５１のピン穴を貫く押し棒シュート５３１が設置される。前記制御装置５６は押し棒５６１とラッチボルト５６２を含む。前記押し棒５６１は外プラグ５３の押し棒シュート５３１に据え付けられ、第一ピン機構５５１の第一下ピン５５１２を制御する。前記ラッチボルト５６２は外プラグ５３の後部に据え付けられ、押し棒５６１の末端がラッチボルト５６２と連動する。つまり、ラッチボルト５６２が移動する時、押し棒５６１を動かして移動させる。
【０１４０】
前記制御装置５６のラッチボルト５６２の前端面には斜面５６２２が設置される。内プラグ５２に軸方向に沿い突出した凸部５２１が設置される。ラッチボルト５６２に設置される斜面５６２２が内プラグ５２にある凸部５２１に結合されることにより、内プラグ５２を回転させる時、ラッチボルト５６２はそれに応じて軸方向に沿い移動することができる。それとともに、押し棒５６１が連動されて軸方向に沿い移動する。
【０１４１】
前記押し棒５６１に斜面シュート５６１１が設置される。前記第一ピン機構５５１の第一下ピン５５１２に押し棒５６１の斜面シュート５６１１に結合する凸部５５１２１が設置される。押し棒５６１は軸方向に沿い移動する時、押し棒５６１の斜面シュート５６１１が第一下ピン５５１２の凸部５５１２１との組合せにより、ピンを上下移動することを制御できる。第一下ピン５５１２がある位置に配置されると、鍵５９は外施錠機構５５を解除できる。この時、外施錠機構５５は解除される。第一下ピン５５１２が別の位置に配置されると、鍵５９は外施錠機構５５を解除できなくなる。よって、制御装置５６は外施錠機構５５の解除を制御すると言える。
【０１４２】
前記第一下ピン５５１２には対称的に二つの凸部５５１２１が設置される。前記押し棒５６１に二つの斜面シュート５６１１を設置して、其々、第一下ピン５５１２の二つの凸部５５１２１に結合する。こうして、第一下ピン５５１２が順調に上下移動できることを保証する。
【０１４３】
外プラグ５３にある鍵穴の前部に設置される開閉扉機構５７をさらに含む。前記開閉扉機構５７は上扉５７１と下扉５７２に分かれる。内プラグ５２を第二位置に回転すると、前記開閉扉機構５７は鍵穴を閉める。
【０１４４】
前記開閉扉機構５７の上扉５７１はラジアル方向に沿って滑り、前記内プラグ５２に結合する。上扉５７１に第一凸軸５７１１が設置される。外プラグ５３には第一誘導溝５３３が設置される。上扉５７１の第一凸軸５７１１が外プラグ５３の第一誘導溝５３３に結合され、内プラグ５２を回転させる時、上扉５７１はラジアル方向に沿い移動する。それと共に、開閉扉機構５７の下扉５７２はラジアル方向に沿って滑り、前記内プラグ５２に結合する。下扉５７２に第二凸軸５７２１が設置される。外プラグ５３に第二誘導溝５３４が設置される。下扉５７２の第二凸軸５７２１が外プラグ５３の第二誘導溝５３４に結合され、内プラグ５２を回転させる時、下扉５７２はラジアル方向に沿い移動する。内プラグ５２は開閉扉機構５７を連動して時計回りで、ある角度に回転する時、上扉５７１の第一凸軸５７１１が外プラグ５３の第一誘導溝５３３との組合せにより、上扉５７１を降りさせて、上扉５７１は鍵穴の一部を遮る。逆に、内プラグ５２が開閉扉機構５７を連動して反時計回りで、ある角度に回転する時、上扉５７１を上げ、上扉５７１は鍵穴を遮らない。
【０１４５】
前記内プラグ５２は開閉扉機構５７を連動して時計回りで、ある角度に回転する時、下扉５７２の第二凸軸５７２１が外プラグ５３の第二誘導溝５３４との組合せにより、下扉５７２を上げ、下扉５７２は鍵穴の一部を遮る。逆に、内プラグ５２が開閉扉機構５７を連動して反時計回りで、ある角度に回転する時、下扉５７２を降ろし、下扉５７２は鍵穴を遮らない。上扉と下扉は同時に動き、鍵穴を閉めたり、開けたりする。
【０１４６】
前記押し棒５６１の一端には穴５６１２が設置される。前記ラッチボルト５６２にブロック固定溝５６２１が設置される。ブロック５６３は押し棒５６１の穴５６１２とラッチボルト５６２のブロック固定溝５６２１を連接して、押し棒５６１の一端をラッチボルト５６２と連動させる。ラッチボルト５６２が軸方向に沿い移動する時、ラッチボルト５６２は押し棒５６１を連動して軸方向に沿い移動させる。
【０１４７】
前記外筒５１の末端に斜面シュート５１４が設置される。前記ブロック５６３と外筒５１の斜面シュート５１４に結合されて、ブロックはラッチボルト５６２と共に軸方向に沿い移動しながらラジアル方向に沿い移動させる。ラッチボルト５６２が軸方向に沿い後ろの第二位置に移動する時、前記ブロックは押し棒５６１の穴５６１２から脱出する。
【０１４８】
前記ブロック５６３の底にばね５６３２が設置される。ブロックの両側に翼５６３１が設置される。前記外筒５１の斜面シュート５１４は下向きに設置される。前記ブロックは前記ばね５６３２によりラッチボルト５６２のブロック固定溝５６１の中に取り付けられる。前記ブロックの頭は前記外筒５１の斜面シュート５１４に当接する。
【０１４９】
遅延タイマー５８をさらに含む。前記遅延タイマー３７は外筒５１と押し棒５６１の一端の間に取り付けられる。下プラグ５２が第二位置に回転する時、ラッチボルト５６２を後ろに移動させて、押し棒３５は遅延タイマー３７を押して、遅延タイマーが圧縮され、エネルギーを蓄える。外プラグ５３が回転すると、遅延タイマー５８はエネルギーを放出できなくなり、押し棒５６１を元の位置に戻すことができない。外プラグ５３が回転しないと、遅延タイマー５８は所定の時間内にエネルギーを放出して、押し棒５６１を外施錠機構５５を制御する位置に戻す。
内プラグ５２が原始点に復帰すると、すべての部品は原始状態に復帰する。
前記遅延タイマー５８は実施例２の構造を使う。
【０１５０】
前記内プラグ５２と外プラグ５３の間にある内施錠機構５４は第二ピン機構５４１のことである。第二ピン機構５４１はラジアル方向に沿い、内プラグ５２と外プラグ５３の間に取り付けられ、内プラグ５２の回転を制限する。内プラグ５２と外プラグ５３の間にある内施錠機構５４は現有技術の中によく採用される機構であるため、ここではこれ以上説明しない。
これから、さらに、本発明の開錠方法を説明する。
【０１５１】
図５７〜図７３に示したように、鍵を抜いた時、外プラグ５３の外施錠機構５５は外プラグ５３の外筒５１の中での回転を制限する。内プラグ５２の内施錠機構５４は内プラグ５２の外プラグ５３の中での回転を制限する。そして、外プラグ５３だけラッチボルト５６２を連動して回転させ、前記錠前は開錠されることができる。内プラグ５２は制御装置５６により、外プラグ５３の解除を制御する。鍵５９を抜いた時、上扉５７１、下扉５７２は開いた状態である。
【０１５２】
合う鍵５９を鍵穴に差し入れ、内プラグ５２に結合する時、内施錠機構５４がどんな機構であっても、合う鍵５９は内施錠機構５４を解除できる。内施錠機構５４が解除された後、内プラグ５２は外プラグ５３の中で回転できるようになり、ラッチボルト５６２を連動して、軸方向に沿い移動させる。ラッチボルト５６２は第一ばねにより、軸方向に沿い外筒５１の中に据え付けられる。こうして、鍵５９は内プラグ５２によりラッチボルト５６２を裏側に移動させる。位置関係から見れば、内プラグ５２が後ろに移動されることも言える。
【０１５３】
ラッチボルト５６２が後ろに移動するまでは、押し棒５６１の制御により、外プラグ５３を解除することができない。
【０１５４】
ラッチボルト５６２が後ろに移動する時、押し棒５６１を連動して後ろに移動させる。押し棒５６１が後ろに移動すると、第一下ピン５５１２は少しずつ下げる。ラッチボルト５６２が後ろに移動する時、ブロック５６３も少しずつ落下する。
【０１５５】
内プラグ５２が第二位置に回転すると、ラッチボルト５６２を連動して、後ろの第二位置に移動させて、第一下ピン２５２も第二位置に下がり、第一下ピン５５１２は鍵がロック解除できない位置から鍵がロック解除できる位置に切り替える。この時、外プラグ５３のロックを解除できる。この時のブロック５６３も完全に押し棒５６１の穴５６１２から脱出する。内プラグ５２は開閉扉機構５７を連動して、第二位置に回転させる。外プラグにある誘導溝により、上扉５７１、下扉５７２は同時に閉まる。内プラグ５２が第二位置に回転すると、遅延タイマー５８は圧縮され、遅延タイマーがエネルギー貯蔵状態になる。
【０１５６】
この時、外プラグ５３及び内プラグ５２は同時に回転できるようになり、前記錠前は開錠される。鍵５９を抜くと、内プラグ５２が原始点に戻り、すべての部品は原始状態に復帰する。
【０１５７】
もし、所定時間内（遅延タイマーに対して、時間を設定できる）に、外プラグ５３及び内プラグ５２が同時に回転しなければ、遅延タイマー２９は仕事を始め、遅延タイマーをリセットする。遅延タイマーは押し棒５６１を前に移動させる。押し棒５６１が前に移動する時、第一下ピン５５１２を連動して上げる。これは第一下ピン５５１２を鍵がロック解除できる位置から鍵がロック解除できない位置に移動させる。制御装置５６は改めて外施錠機構５５を制御する。
【実施例６】
【０１５８】
図７４〜図１０１に示したように、本発明は二つのプラグが相互制御する錠前を提供する。前記錠前はシリンダーと鍵６１０を含む。前記シリンダーは外筒６１、前プラグ６２、後プラグ６３を含む。前プラグ、後プラグは回転可能に外筒に取り付けられる。後プラグ６３は軸方向に沿って移動することもできる。前プラグと外筒の間に鍵６１０で解除できる前施錠機構６５が取り付けられ、後プラグと外筒の間に、鍵６１０で解除できる後施錠機構６４が取り付けられる。前記前施錠機構６５は羽機構である。羽機構は一つのストッパー６５１と幾つかのストッパーの底にある凸部６５１２に結合する羽６５２を含む。羽６５２には幾つかの溝６５２１が設置される。幾つかの溝６５２１のうち、ただ一つの溝６５２１が正解溝であり、他の溝はわな溝である。後プラグ６３にストッパーを制御する制御装置６６が設置される。後プラグ６３が第二位置に配置されるまでは、ストッパー６５１を下げることができない。鍵６１０を鍵穴に差し込んだ後、鍵６１０はまず後施錠機構６４を解除して、そして、後プラグ６３を押して、軸方向に沿い後ろに移動させることにより、ストッパー６５１を落下させる。ストッパー６５１の底にある凸部６５１２が下がり、羽６５２の正解溝に落ちる時、前施錠機構６５が解除される。前プラグ及び後プラグは鍵６１０により同時に回転できるようになり、前記錠前は開錠される。ストッパー６５１の底にある凸部６５１２が下がり、わな溝に落ちると、前施錠機構６５が解除されず、羽６５２は移動できない。
【０１５９】
後プラグ６３と外筒６１の間にある後施錠機構６４はピン機構６４１である。前記ピン機構６４１はラジアル方向に沿い後プラグ６３と外筒６１の間に取り付けられて、後プラグ６３の回転と軸方向に沿う移動を制限する。
【０１６０】
外筒６１に第一ストッパー溝６１１が設置される。前プラグ６２に第二ストッパー溝６２１が設置される。ストッパー６５１は外筒６１の第一ストッパー溝６１１と前プラグ６２の第二ストッパー溝６２１にある時、前プラグ６２は外筒６１の中で回転できない。ストッパー６５１の第一ストッパー溝６１１は完全に前プラグ６２の第二ストッパー溝６２１に入る時、前プラグ６２は外筒６１の中で回転できるようになる。
【０１６１】
前記制御装置６６は押し棒６６１と、押し棒とストッパー６５１の間にある組合せ構造を含む。前記前プラグ６２に軸方向に沿う押し棒溝６２２が設置される。前記押し棒溝６２２は前プラグ６２の中にあるストッパーを入れている第二ストッパー溝に接続される。前記押し棒６６１は前プラグ６２の押し棒溝６２２に摺動可能に取り付けられて、ストッパー６５１に結合される。前記押し棒６６１の末端は前記後プラグ６３と連動して、方法としては挟まって、固定してもよく、一体化にして固定しても良い。後施錠機構６４が解除されない時、押し棒６６１は移動できない。押し棒６６１が第二位置に配置されるまでは、ストッパー６５１は下がらない。
【０１６２】
前記押し棒６６１とストッパー６５１の間にある組合せ構造は下記のものを含む。
【０１６３】
押し棒６６１にシュート６６１１が設置される。前記ストッパー６５１は押し棒６６１のシュート６６１１に滑る。そして、押し棒６６１とストッパー６５１は交差して移動する。
【０１６４】
ストッパー６５１に設置される第一凸ボス６５１１と押し棒６６１のシュート６６１１に設置される第一斜面６６１２、及び第一斜面に水平方向に沿い設置される第一金属片６６２、前記第一斜面６６１２の底に第二凸ボス６６１３が設置される。前記第一金属片６６２の一端は前記第二凸ボス６６１３に固定する。前記第一金属片６６２のもう一端は自由に第一斜面６６１２の頂部に置かれる。第二凸ボス６６１３のおかげで、第一金属片６６２が水平設置されることができる。
【０１６５】
前記ストッパー６５１の第一凸ボス６５１１の突出寸法及び第二凸ボス６６１３の幅寸法の合計は第一斜面６６１２の幅寸法より小さい。前記第一金属片６６２の幅寸法は第一斜面６６１２の幅寸法と同じである。この寸法の組み合わせは、第一凸ボス６５１１が第二凸ボス６６１３を避けて、第一斜面６６１２に沿い移動する。
【０１６６】
押し棒６６１は後の第二位置に配置されるまでは、ストッパー６５１の第一凸ボス６５１１が第一金属片６６２に制限されることにより、ストッパー６５１は下がらない。押し棒６６１が後の第二位置に配置されると、ストッパーの第一凸ボス６５１１が第一金属片６６２の制限から解放することにより、ストッパー６５１は下がる。押し棒６６１が前に移動する時、ストッパー６５１の第一凸ボス６５１１は押し棒のシュート６６１１の第一斜面６６１２に沿い上に移動する。押し棒６６１が前の第二位置に配置されると、ストッパーの第一凸ボス６５１１は第一金属片６６２の自由端を外して、改めて第一金属片６６２の頂部に戻る。
【０１６７】
前記ストッパー６５１の頂部にはブロック６５３が設置される。ブロック６５３の頂部に第一ばね６５４が設置される。第一ばね６５４はブロック６５３の頂部と外筒６１の間に取り付けられる。取り付けられる時、外筒６１の第一ストッパー溝６１１にヘード６５５が取り付けられる。第一ばね６５４はブロック６５３の頂部と外筒６１のヘード６５５の間に取り付けられる。
前記正解溝とわな溝の断面は両方とも矩形である。
【０１６８】
前記錠前は前プラグ６２の鍵穴の前部に設置される開閉扉機構６７を含む。前記開閉扉機構６７は後プラグ６３と連動する。後プラグ６３が後の第二位置に移動すると、前記開閉扉機構６７は鍵穴を閉める。
【０１６９】
前記開閉扉機構は上扉６７１と下扉６７２を含む。上扉と後プラグ６３の間に上扉押し棒６７３が設置され、下扉と後プラグ６３の間に下扉押し棒６７４が設置される。上扉押し棒と下扉押し棒の一端は後プラグ６３に固定される。上扉押し棒と下扉押し棒のもう一端は其々、前記上扉と下扉を組み合わせる。鍵６１０が後プラグ６３、上扉押し棒と下扉押し棒を押し、後に移動させる時、前記上扉と下扉は鍵穴を閉める。
【０１７０】
上扉押し棒６７３は独立にしても良い部品であり、ストッパー押し棒６６１と一体化にしても良い。つまり、ストッパー押し棒６６１の延長部分を上扉押し棒６７３にする。
【０１７１】
前記上扉６７１は前プラグ６２の鍵穴の上部に設置される。上扉６７１には上向きの第二斜面６７１１が設置される。上扉押し棒６７３の前端に下向きの第三斜面６７３１が設置される。上扉の第二斜面６７１１が上扉押し棒の第三斜面６７３１に結合されることにより、上扉押し棒６７３は後に移動する時、上扉６７１を連動して後に移動させる。
【０１７２】
前記下扉６７２は前プラグ６２の鍵穴の前面の下側に設置される。下扉６７２に下向きの第四斜面６７２１が設置される。下扉押し棒６７４の前端に上向きの第五斜面６７４１が設置される。下扉６７２の第四斜面６７２１が下扉押し棒の第五斜面６７４１に結合されることにより、下扉押し棒６７４は後に移動する時、下扉６７２を連動して後に移動させる。
後プラグ３が原始の位置に復帰する時、すべての部品は原始状態に戻る。
【０１７３】
本発明の錠前において鍵６１０を抜いた時、前施錠機構６５、後施錠機構６４は両方とも解除されない。後施錠機構６４のピン機構６４１は後プラグ６３と前プラグ６２の間に挟まれる。前施錠機構６５のストッパー６５１は前プラグ６２と外筒６１の間に挟まれる。ストッパー６６１が移動しなければ、ストッパー６５１の第一凸ボス６５１１は第一金属片６６２にあり、第一金属片６６２により、ストッパー６５１が落下できない。この時、開閉扉機構５７は開いた状態になる。即ち、上扉６７１、下扉６７２は其々、鍵穴の上側と下側にある。
【０１７４】
鍵６１０を差し入れて、後施錠機構に結合される時、後施錠機構６４のピン機構が解除される。この時、上プラグ６２により、後プラグ６３は軸方向に沿い移動できるが、回転できない。前施錠機構６５のストッパー６５１は依然として前プラグ６２と外筒６１の間に挟まれる。ストッパー押し棒６６１も移動しない。ストッパー押し棒６６１の第一凸ボス６５１１は依然として第一金属片６６２にあり、第一金属片６６２により、ストッパー６５１が落下できない。この時、開閉扉機構は開いた状態になる。即ち、上扉６７１、下扉６７２は其々、鍵穴の上側と下側にある。
【０１７５】
鍵６１０が後に押される時、後プラグ６３は後に移動する。後プラグ６３はストッパー押し棒６６１を連動して後に移動させる。ストッパー６５１とストッパー押し棒６６１は相対的に移動する。ストッパー６５１の第一凸ボス６５１１は第一金属片６６２の中に移動する。後プラグ６３は依然としてストッパー６５１の落下を止める。後プラグ６３が後に移動するとともに、上扉押し棒６７３と下扉押し棒６７４により、上扉６７１、下扉６７２を結合させる方向に移動する。
【０１７６】
鍵６１０が後の第二位置に配置されると、後プラグ６３はストッパー押し棒６６１を連動して後ろに移動させる。ストッパー６５１の第一凸ボス６５１１は第一金属片６６２から離れて、ストッパー６５１が落下する。もしこの時、鍵６１０が同時に前施錠機構６５に結合されると、ストッパー６５１の底にある凸部６５１２は正解穴に落ちて、ストッパー６５１が完全に外筒６１の第一ストッパー溝６１１から脱出する。前プラグ６２は外筒６１の中で回転できるようになり、鍵６１０に連動させて、前プラグ６２及び後プラグ６３は同時に回転できて、前記錠前は開錠される。上扉押し棒６７３と下扉６７４により、上扉６７１と下扉６７２を結合させる。もしこの時、鍵６１０が前施錠機構６５と合わなければ、（例えば、不正開錠される場合、後プラグは別の器具で解除される）、ストッパー６５１は依然として落下できるが、ストッパー６５１の底にある凸部６５１２は穴溝に落ちて、ストッパー６５１が完全に外筒６１の第一ストッパー溝６１１から脱出できず、前プラグ６２は外筒６１の中で回転できない。そして、わな溝が依然として羽の移動を制限するため、他の器具で前施錠機構を解除することができない。ストッパー６５１の底にある凸部６５１２は穴溝に落ちる時、ストッパー６５１に応じる羽も制限されて、移動できなくなる。後プラグ６３をリセットしなければ、即ち、ストッパー押し棒６６１が元の位置に戻り改めてストッパー６５１を上げないと、ストッパー６５１の底にある凸部６５１２はわな溝から脱出せず、羽は移動できない。よって、予め、羽の正解の位置が分かり、そしてそれを正しい位置に移動しなければならない。そうしなければ、前プラグ６２のロックを解除できない。
【０１７７】
リセットする時、鍵６１０を抜いてから、後プラグ６３は軸方向のばね、あるいは、鍵の動きにより、前に移動してリセットする。後プラグ６３が前に移動することにより、ストッパー押し棒６６１も前に移動する。つまり、ストッパー６５１はストッパー押し棒６６１に対して、後に移動する。この時、ストッパー６５１の第一凸ボス６５１１は第一斜面６６１２に沿って、上昇する。つまり、ストッパー押し棒６６１はストッパー６５１を上げる。上扉押し棒６７３と下扉押し棒６７４により、上扉６７１と下扉６７２は段々離れる。後プラグ６３が原始点に戻る時、ストッパーの第一凸ボス６５１１は第一金属片６６２の自由端を外して、第一金属片６６２の上部に戻る。ストッパー６５１の底部も羽と結合しない状態にある。
【実施例７】
【０１７８】
図１０２に示したように、本実施例のダブルプラグ構造の錠前は実施例１と遅延タイマーの構造が違う点で異なる。本実施例の遅延タイマーは機械摩擦式遅延タイマー７２である。前記機械摩擦式遅延タイマー７２は押し棒７２１、ブロック７２２、固定座７２３と圧縮ばね７２４を含む。前記押し棒７２１、ブロック７２２と圧縮ばね７２４は、固定座７２３の内室に摺動可能に取り付けられる。押し棒のボス７２２１が固定座のシュート７２３１に摺動可能に取り付けられる。圧縮ばね７２４の末端は固定座７２３の末端の内壁に当接する。圧縮ばね７２４の前端はブロック７２２の後部にある裏穴の末端に当接する。ブロック７２２の前端は、押し棒７２１の後部にある裏穴の末端に可動に取り付けられる。ブロックのボス７２２１はまた固定座シュート７２３１に結合される。押し棒７２１は外部からの力に押される時、ブロックを連動して後ろに移動させるとともに、圧縮ばね７２４を圧縮して、圧縮ばねはエネルギーを蓄える。ブロック７２２は固定座シュート７２３１から脱出する時、ブロックの斜面７２２２が押し棒の斜面７２１２、固定座の斜面７２３２に結合されることにより、ある角度に回転する。ブロック７２２の回転スピードは第三斜面の傾角と摩擦係数に制御される。ブロック７２２はそれにより、遅延動作を行う。ブロックのボス７２２１が固定座の次にある同じシュートに回転させる。この時、押し棒７２１は外部からの力を受けず、圧縮ばね７２４がエネルギーを放出して、改めてブロック７２２と押し棒を原始点に戻す。この原理により、遅延タイマー７２は移動したものをディレーにしてリセットさせることができる。
【実施例８】
【０１７９】
図１０３に示したように、本実施例のダブルプラグ構造の錠前は実施例１と遅延タイマーの構造が違う点で異なる。本実施例の遅延タイマーは時計付き遅延タイマー８１である。前記時計付き遅延タイマー８１はラック８１１、減速機構、脱進機、振動機構、エネルギー貯蔵機構、単方向転送機構と固定座８１０を含む。固定座８１０は相応の機構が取り付けられる。前記ラック８１１の一端は前記制御装置と連接する。前記ラック８１１が減速機構に結合される。前記減速機構は前記脱進機と連動する。前記エネルギー貯蔵機構は前記脱進機と連動する。前記単方向転送機構は脱進機と減速機構の間に取り付けられる。脱進機は振動機構に結合される。
【０１８０】
前記減速機構は小歯車８１２、減速歯車８１３と駆動歯車８１４を含む。小歯車８１２と減速歯車８１３は同じ軸に固定される。前記ラック８１１の歯構造は小歯車８１２に結合される。減速歯車８１３は駆動歯車８１４と噛み合う。減速歯車８１３を大きく設計して、駆動歯車８１４を小さくすることにより、減速させる。前記脱進機はがんぎ車８１５とアンクル８１６を含む。前記駆動歯車８１４とがんぎ車８１５は同じ回転軸８１７に固定される。前記エネルギー貯蔵機構はエネルギー貯蔵ねじりばね８１８を含む。エネルギー貯蔵ねじりばね８１８は前記回転軸８１７に取り付けられる。振動機構はひげぜんまい８１９と弾み車８２０を含む。前記ひげぜんまい８１９は前記弾み車８２０に取り付けられる。前記アンクル８１６は円盤釘により前記弾み車８２０の中に取り付けられて、アンクル８１６の一端が弾み車８２０の揺れと共に揺らされる。前記アンクル８１６の一端に出づめ８２１が設置される。前記アンクル８１６と出づめ８２１により、前記がんぎ車８１５に結合される。アンクル８１６によりがんぎ車８１５が連続的に早く回転できないように制御される。前記単方向輸送機構は弾性シート８２２と前記がんぎ車８１５に設置されるくさび形凸ボス８２３を含む。前記弾性シート８２２の一端は前記駆動歯車８１４に固定されて、もう一端は前記がんぎ車８１５のくさび形凸ボス８２３に結合される。
【０１８１】
制御装置（後プラグでも良い）が後に移動する時、ラック８１１を連動して後に移動させる。ラック８１１は小歯車８１２を連動して回転させる。小歯車８１２は減速歯車８１３を連動して回転させる。減速歯車８１３は駆動歯車８１４を回転させる。こうして、エネルギー貯蔵ねじりばね８１８にエネルギーを蓄えさせる。制御装置（後プラグでも良い）が後の第二位置に配置されると、エネルギー貯蔵ねじりばね８１８がエネルギーを蓄えることが完成するにつれて、制御装置（後プラグでも良い）はラック８１１に対する制御を解除して、ラック８１１がリセットされて、駆動歯車８１４により前に移動する。それと共に、駆動歯車８１４ががんぎ車８１５に固定されるため、アンクル８１６はがんぎ車８１５の回転を制御し始める。アンクル８１６は揺れ動くと、がんぎ車８１５がある角度に回転して、駆動歯車８１４がある角度に回転できる。ラック８１１が前に進む。アンクル８１６は固有頻度で揺れ動き、ラック８１１をゆっくり元の位置に戻し、遅延効果を得る。アンクル８１６が固有頻度で揺れ動くのは、アンクル８１６がひげぜんまい８１９と弾み車８２０の共同作用を受けたからである。弾み車８２０はひげぜんまい８１９により、固有頻度で往復して揺れる。弾み車８２０にある丸盤釘がアンクル８１６を制御して同時に揺らす。弾性シート８２２の一端が駆動歯車８１４に固定されるので、弾性シート８２２のもう一端はがんぎ車８１５になるくさび形凸ボス８２３に結合される。こうして、駆動歯車８１４とがんぎ車８１５は単方向嵌め合いとなる。
【実施例９】
【０１８２】
図１０４に示したように、本実施例のダブルプラグ構造の錠前は実施例１と遅延タイマーの構造が違う点で異なる。前記タイマーは減衰タイマー９１である。前記減衰タイマー９１はラック９１１、減衰歯車９１２、圧縮ばね９１３と減衰器を含む。前記ラック９１１の一端は前記制御装置に接続される。前記圧縮ばね９１３はラック９１１のもう一端に当接する。ラック９１１の歯構造は減衰歯車９１２に結合される。前記減衰器はスプール９１４及び減衰ケース９１５を含む。前記スプール９１４は減衰ケースの中に取り付けられて、減衰歯車９１２と同一軸に繋がる。
【０１８３】
制御装置（後プラグでも良い）が後に移動する時、ラック９１１を連動して後に移動させて、ばね９１３にエネルギーを蓄えさせる。制御装置（後プラグでも良い）が後の第二位置に配置されると、ばね９１３がエネルギーを蓄えることが完成するにつれて、制御装置（後プラグでも良い）はラック９１１に対する制御を解除して、ラック９１１が原始点に戻ろうとする。それと共に、ラック９１１は減衰歯車９１２を回転させる。減衰歯車９１２は圧縮ばね９１３からの駆動力を受ける一方、減衰器の回転抵抗力も受けるため、徐々に回転しかできない。ラック９１１も徐々に移動しかできない。よって、ラック９１１は遅延してリセットすることができる。減衰器はスプール９１４とケース９１５からなる。スプール９１４とケース９１５の間に接着剤を注がれているため、ケース９１５は回転できない。スプール９１４の回転は接着剤の影響を受けて、回転スピードが速ければ、受ける接着剤の抵抗力も大きくなる。
【０１８４】
本発明は二つのプラグが相互制御することを利用する。第一プラグのロックを解除するまでは、第一プラグは第二のロックのプラグの解除を制限する。第二プラグは第一プラグの回転を制限する。第一のプラグのロックを解除した後、プリセットされた位置偏差を利用して、第一位置から第二位置に移動できるが、回転できない。第一プラグが第二位置に配置されると、第二プラグに対する制限を解除するが、第二プラグは依然として第一プラグの回転を制限する。第二プラグのロックを解除した後、第一プラグと第二プラグが同時に回転できるようになり、前記錠前は開錠される。この中、第一プラグが位置偏差をプリセットするのにかかる時間は時差である。本発明は二つのプラグが相互制御することだけでなく、時差も利用して幾つかの制限条件を作る。こうして、ロジック面から技術的な不正開錠の可能性をゼロにする。ダブルプラグとダブルプラグの相互制御の構造は工業にも実現しやすい一方、本発明の二つプラグが相互制御の錠前の各部品も工業には加工容易である。
【０１８５】
前述したものはただ本発明の比較的に良い実施例だけなので、決して本発明の範囲をこれらに限定することができない。即ち、本発明の権利範囲と明細書により作った同様な効果を得られる変動あるいは修飾も本発明の発明範囲に入れるべきである。
【図１】
0006784692.tif 000002
【図２】
0006784692.tif 000003
【図３】
0006784692.tif 000004
【図４】
0006784692.tif 000005
【図５】
0006784692.tif 000006
【図６】
0006784692.tif 000007
【図７】
0006784692.tif 000008
【図８】
0006784692.tif 000009
【図９】
0006784692.tif 000010
【図１０】
0006784692.tif 000011
【図１１】
0006784692.tif 000012
【図１２】
0006784692.tif 000013
【図１３】
0006784692.tif 000014
【図１４】
0006784692.tif 000015
【図１５】
0006784692.tif 000016
【図１６】
0006784692.tif 000017
【図１７】
0006784692.tif 000018
【図１８】
0006784692.tif 000019
【図１９】
0006784692.tif 000020
【図２０】
0006784692.tif 000021
【図２１】
0006784692.tif 000022
【図２２】
0006784692.tif 000023
【図２３】
0006784692.tif 000024
【図２４】
0006784692.tif 000025
【図２５】
0006784692.tif 000026
【図２６】
0006784692.tif 000027
【図２７】
0006784692.tif 000028
【図２８】
0006784692.tif 000029
【図２９】
0006784692.tif 000030
【図３０】
0006784692.tif 000031
【図３１】
0006784692.tif 000032
【図３２】
0006784692.tif 000033
【図３３】
0006784692.tif 000034
【図３４】
0006784692.tif 000035
【図３５】
0006784692.tif 000036
【図３６】
0006784692.tif 000037
【図３７】
0006784692.tif 000038
【図３８】
0006784692.tif 000039
【図３９】
0006784692.tif 000040
【図４０】
0006784692.tif 000041
【図４１】
0006784692.tif 000042
【図４２】
0006784692.tif 000043
【図４３】
0006784692.tif 000044
【図４４】
0006784692.tif 000045
【図４５】
0006784692.tif 000046
【図４６】
0006784692.tif 000047
【図４７】
0006784692.tif 000048
【図４８】
0006784692.tif 000049
【図４９】
0006784692.tif 000050
【図５０】
0006784692.tif 000051
【図５１】
0006784692.tif 000052
【図５２】
0006784692.tif 000053
【図５３】
0006784692.tif 000054
【図５４】
0006784692.tif 000055
【図５５】
0006784692.tif 000056
【図５６】
0006784692.tif 000057
【図５７】
0006784692.tif 000058
【図５８】
0006784692.tif 000059
【図５９】
0006784692.tif 000060
【図６０】
0006784692.tif 000061
【図６１】
0006784692.tif 000062
【図６２】
0006784692.tif 000063
【図６３】
0006784692.tif 000064
【図６４】
0006784692.tif 000065
【図６５】
0006784692.tif 000066
【図６６】
0006784692.tif 000067
【図６７】
0006784692.tif 000068
【図６８】
0006784692.tif 000069
【図６９】
0006784692.tif 000070
【図７０】
0006784692.tif 000071
【図７１】
0006784692.tif 000072
【図７２】
0006784692.tif 000073
【図７３】
0006784692.tif 000074
【図７４】
0006784692.tif 000075
【図７５】
0006784692.tif 000076
【図７６】
0006784692.tif 000077
【図７７】
0006784692.tif 000078
【図７８】
0006784692.tif 000079
【図７９】
0006784692.tif 000080
【図８０】
0006784692.tif 000081
【図８１】
0006784692.tif 000082
【図８２】
0006784692.tif 000083
【図８３】
0006784692.tif 000084
【図８４】
0006784692.tif 000085
【図８５】
0006784692.tif 000086
【図８６】
0006784692.tif 000087
【図８７】
0006784692.tif 000088
【図８８】
0006784692.tif 000089
【図８９】
0006784692.tif 000090
【図９０】
0006784692.tif 000091
【図９１】
0006784692.tif 000092
【図９２】
0006784692.tif 000093
【図９３】
0006784692.tif 000094
【図９４】
0006784692.tif 000095
【図９５】
0006784692.tif 000096
【図９６】
0006784692.tif 000097
【図９７】
0006784692.tif 000098
【図９８】
0006784692.tif 000099
【図９９】
0006784692.tif 000100
【図１００】
0006784692.tif 000101
【図１０１】
0006784692.tif 000102
【図１０２】
0006784692.tif 000103
【図１０３】
0006784692.tif 000104
【図１０４】
0006784692.tif 000105